(57)【特許請求の範囲】
【請求項１】
無線装置でラジオ信号を処理する方法であって、
音楽データ及びオーディオデータのうちの少なくとも１つを含むマルチメディアコンテンツおよび前記マルチメディアコンテンツに対応する補足情報を備える放送ラジオ伝送を受信することであり、前記補足情報が、異なるデータをそれぞれが備える複数の所定のデータグループからの第１のデータグループを備え、前記第１のデータグループがさらに、第１のタグ、および対応するテキストデータの第１の組を備えること、
前記第１のタグ、および前記テキストデータの第１の組を検出すること、および
前記検出された第１のタグ、および前記検出されたテキストデータの第１の組に基づき、前記無線装置の所定の機能を可能にし、
前記放送ラジオ伝送を受信することがさらに、ラジオデータシステムフォーマット、またはラジオ放送データシステムフォーマットの前記補足情報を受信することを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御することを含む方法。
【請求項２】
前記第１のデータグループを備える前記補足情報を受信することがさらに、ラジオデータシステムフォーマット、またはラジオ放送データシステムフォーマットのメッセージを受信することを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、およびグループ１３Ａメッセージのうちの少なくとも１つを備える、請求項１に記載の方法。
【請求項３】
前記放送ラジオ伝送を受信することがさらに、前記複数の所定のデータグループからの第２のデータグループを有する前記補足情報を受信することを備え、前記第２のデータグループがさらに、前記テキストデータの第１の組とは異なるテキストデータの第２の組を備え、前記所定の機能は、さらに前記テキストデータの第２の組を、前記無線装置のメモリに記憶することを備える、請求項１に記載の方法。
【請求項４】
前記放送ラジオ伝送を受信することがさらに、前記複数の所定のデータグループからの第２のデータグループを有する前記補足情報を受信することを備え、前記第２のデータグループが、前記テキストデータの第１の組とは異なるテキストデータの第２の組を備え、前記テキストデータの第２の組が、番組サービス名、番組識別コード、番組タイプコード、ラジオテキストメッセージ、およびクロック時間のうちの少なくとも１つを表しており、前記所定の機能は、さらに前記番組サービス名、前記番組識別コード、前記番組タイプコード、前記ラジオテキストメッセージ、および前記クロック時間のうちの少なくとも１つを前記無線装置のメモリに記憶することを備える、請求項１に記載の方法。
【請求項５】
前記所定の機能は、さらに前記無線装置上で実行される、または実行するアプリケーションの使用量の収集またはレポートを制御することを備える、請求項１に記載の方法。
【請求項６】
前記放送ラジオ伝送を受信することがさらに、ラジオ局に対応する無線周波数でラジオ信号を受信することを備え、前記所定の機能は、さらにユーザ入力に応じて、選択されたアドレスに送信するための同調推奨メッセージを、メッセージングアプリケーションで自動的に構成することを備えており、前記同調推奨メッセージが、前記ラジオ局の前記無線周波数のインジケータを備える、請求項１に記載の方法。
【請求項７】
前記テキストデータの第１の組が、前記無線周波数の表現を備え、また自動的に構成することがさらに、前記テキストデータの第１の組からの前記無線周波数の前記表現を構文解析すること、および前記構文解析に基づいて前記無線周波数の前記インジケータを生成すること、および前記インジケータを前記同調推奨メッセージに追加することを備える、請求項６に記載の方法。
【請求項８】
前記放送信号を受信することがさらに、前記マルチメディアコンテンツに対応するコンテンツ名の表現およびアーティスト名の表現の少なくとも一方をさらに備える前記第１のデータグループと、前記複数の所定のデータグループからの第２のデータグループとの少なくとも一方を備える補足情報を受信することを備えており、前記第２のデータグループが、前記テキストデータの第１の組とは異なるテキストデータの第２の組を備え、前記テキストデータの第２の組が、前記コンテンツ名の前記表現および前記アーティスト名の前記表現の少なくとも一方を備え、また自動的に構成することがさらに、前記第１のデータグループおよび前記第２のデータグループの少なくとも一方からの前記テキストデータの第１の組から、前記コンテンツ名の前記表現および前記アーティスト名の前記表現の少なくとも一方を構文解析すること、および前記コンテンツ名の前記表現および前記アーティスト名の前記表現の少なくとも一方を前記同調推奨メッセージに追加することを備える、請求項６に記載の方法。
【請求項９】
前記放送ラジオ伝送を受信することがさらに、一連の１次コンテンツおよび２次コンテンツを有するマルチメディアコンテンツを受信することを備え、前記放送ラジオ伝送を受信することがさらに、前記第１のデータグループおよび前記第１のデータグループとは異なる第２のデータグループの少なくとも一方を備える前記補足情報を受信することを備えており、前記第１のデータグループおよび前記第２のデータグループの一方が、前記１次コンテンツまたは前記２次コンテンツに対応するコンテンツ識別子を備え、前記所定の機能は、前記２次コンテンツに対応する前記コンテンツ識別子を検出すること、または前記１次コンテンツに対応する前記コンテンツ識別子が存在しないことを検出することに基づいて開始される、請求項１に記載の方法。
【請求項１０】
前記所定の機能は、さらに、前記無線装置の出力装置上の前記無線装置のメモリに記憶されたコンテンツをレンダリングすること、ウェブブラウジングアプリケーションを呼び出すこと、音声呼出アプリケーションを呼び出すこと、およびデータ呼出アプリケーションを呼び出すことのうちの少なくとも１つを備える、請求項９に記載の方法。
【請求項１１】
前記放送ラジオ伝送を受信することがさらに、一連の１次コンテンツおよび２次コンテンツを有する前記マルチメディアコンテンツを受信することを備え、前記放送ラジオ伝送を受信することがさらに、前記第１のデータグループおよび前記第１のデータグループとは異なる第２のデータグループの少なくとも一方を備える前記補足情報を受信することを備えており、前記第１のデータグループおよび前記第２のデータグループの一方が、前記１次コンテンツまたは前記２次コンテンツに対応する音楽／音声スイッチコードまたはグループタイプコードまたはバージョンフラグのうちの少なくとも１つを備え、前記所定の機能は、さらに、前記２次コンテンツに対応する音楽／音声スイッチコードまたはグループタイプコードまたはバージョンフラグのうちの前記少なくとも１つを検出すること、または前記１次コンテンツに対応する音楽／音声スイッチコードまたはグループタイプコードまたはバージョンフラグのうちの前記少なくとも１つが存在しないことを検出することに基づき、前記所定の機能を開始することを備える、請求項１に記載の方法。
【請求項１２】
前記無線装置の前記所定の機能は、さらに、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを備える、請求項１に記載の方法。
【請求項１３】
前記テキストデータの第１の組を、前記第１のフラグに対応する所定のフォーマットで、前記無線装置のディスプレイ上に表示することをさらに備える、請求項１に記載の方法。
【請求項１４】
所定のコンテンツを、前記無線通信装置のディスプレイ上に表示することをさらに備え、前記所定のコンテンツが、前記第１のタグ、および前記テキストデータの第１の組に対応する、請求項１に記載の方法。
【請求項１５】
無線装置でラジオ信号を処理するように構成されたプロセッサであって、
音楽データ及びオーディオデータのうちの少なくとも１つを含むマルチメディアコンテンツおよび前記マルチメディアコンテンツに対応する補足情報を備える放送ラジオ伝送を受信するための第１のモジュールであり、前記補足情報が、異なるデータをそれぞれが備える複数の所定のデータグループからの第１のデータグループを備え、前記第１のデータグループがさらに、第１のタグ、および対応するテキストデータの第１の組を備える、第１のモジュールと、
前記第１のタグ、および前記テキストデータの第１の組を検出するための第２のモジュールと、
前記検出された第１のタグ、および前記検出されたテキストデータの第１の組に基づき、前記無線装置の所定の機能を可能にするための第３のモジュールとを具備し、
前記第１のモジュールはさらに前記放送ラジオ伝送を受信することがさらに、ラジオデータシステムフォーマット、またはラジオ放送データシステムフォーマットの前記補足情報を受信することを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御することを備えるプロセッサ。
【請求項１６】
コンピュータに、音楽データ及びオーディオデータのうちの少なくとも１つを含むマルチメディアコンテンツおよび前記マルチメディアコンテンツに対応する補足情報を備える放送ラジオ伝送を受信させるためのコードの第１の組であり、前記補足情報が、異なるデータをそれぞれが備える複数の所定のデータグループからの第１のデータグループを備え、前記第１のデータグループがさらに、第１のタグ、および対応するテキストデータの第１の組を備える、コードの第１の組と、
前記コンピュータに、前記第１のタグ、および前記テキストデータの第１の組を検出させるためのコードの第２の組と、
前記コンピュータに、前記検出された第１のタグ、および前記検出されたテキストデータの第１の組に基づき、前記無線装置の所定の機能を可能にさせるためのコードの第３の組とを具備し、
前記コードの第１の組はさらにラジオデータシステムフォーマット、またはラジオ放送データシステムフォーマットの前記補足情報を前記コンピュータに受信させ、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、前記コンピュータに無線装置の使用データの収集またはレポートを制御させる、コンピュータプログラム。
【請求項１７】
音楽データ及びオーディオデータのうちの少なくとも１つを含むマルチメディアコンテンツおよび前記マルチメディアコンテンツに対応する補足情報を備える放送ラジオ伝送を受信するための手段であり、前記補足情報が、異なるデータをそれぞれが備える複数の所定のデータグループからの第１のデータグループを備え、前記第１のデータグループがさらに、第１のタグ、および対応するテキストデータの第１の組を備え、
前記第１のタグ、および前記テキストデータの第１の組を検出するための手段と、
前記検出された第１のタグ、および前記検出されたテキストデータの第１の組に基づき、前記無線装置の所定の機能を可能にするための手段とを具備し、
前記受信するための手段は、さらにラジオデータシステムフォーマット、またはラジオ放送データシステムフォーマットの前記補足情報を受信することを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御すること
を備える装置。
【請求項１８】
ラジオエンハンサモジュールを備えるメモリと、
前記メモリと通信し、かつ前記ラジオエンハンサモジュールを実行するように動作可能なプロセッサと、
前記プロセッサと通信し、音楽データ及びオーディオデータのうちの少なくとも１つを含むマルチメディアコンテンツおよび前記マルチメディアコンテンツに対応する補足情報を備える放送ラジオ伝送を受信するように動作可能な受信装置であり、前記補足情報が、異なるデータをそれぞれが備える複数の所定のデータグループからの第１のデータグループを備え、前記第１のデータグループがさらに、第１のタグ、および対応するテキストデータの第１の組を備える、受信装置と、
前記受信装置と関連付けられ、前記第１のタグ、および前記テキストデータの第１の組を検出するように動作可能な回路を備える受信装置モジュールとを備え、
前記プロセッサが、前記ラジオエンハンサモジュールを実行して前記受信装置モジュールをモニタし、前記ラジオエンハンサモジュールが、前記第１のタグ、および前記テキストデータの第１の組に基づき、前記無線装置の所定の機能を可能にするように、前記第１のタグ、および前記テキストデータの第１の組の検出に応じて動作可能であり、
前記補足情報がラジオデータシステムフォーマット、またはラジオ放送データシステムフォーマットを含み、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御する、無線装置。
【請求項１９】
前記第１のデータグループがさらに、ラジオデータシステムフォーマット、またはラジオ放送データシステムフォーマットのメッセージを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、およびグループ１３Ａメッセージのうちの少なくとも１つを備える、請求項１８に記載の無線装置。
【請求項２０】
前記補足情報がさらに、前記複数の所定のデータグループからの第２のデータグループを備え、前記第２のデータグループがさらに、前記テキストデータの第１の組とは異なるテキストデータの第２の組を備え、また前記ラジオエンハンサモジュールがさらに、前記メモリに、前記テキストデータの第２の組を記憶することを開始するように動作可能である、請求項１８に記載の無線装置。
【請求項２１】
前記補足情報がさらに、前記複数の所定のデータグループからの第２のデータグループを備え、前記第２のデータグループが、前記テキストデータの第１の組とは異なるテキストデータの第２の組を備え、前記テキストデータの第２の組が、番組サービス名、番組識別コード、番組タイプコード、ラジオテキストメッセージ、およびクロック時間のうちの少なくとも１つを表しており、また前記ラジオエンハンサモジュールがさらに、前記番組サービス名、前記番組識別コード、前記番組タイプコード、前記ラジオテキストメッセージ、および前記クロック時間のうちの少なくとも１つを前記メモリに記憶することを開始するように動作可能である、請求項１８に記載の無線装置。
【請求項２２】
前記メモリがさらに、他の無線装置アプリケーションを備え、また前記ラジオエンハンサモジュールがさらに、前記無線装置による前記他のアプリケーションの使用量を収集またはレポートすることを開始するように動作可能である、請求項１８に記載の無線装置。
【請求項２３】
前記メモリがさらに、メッセージングアプリケーションを備え、前記放送ラジオ伝送がさらに、ラジオ局に対応する無線周波数でラジオ信号を備え、また前記ラジオエンハンサモジュールがさらに、ユーザ入力に応じて、選択されたアドレスに送信するための同調推奨メッセージを自動的に構成するために、前記メッセージングアプリケーションを開始するように動作可能であり、前記同調推奨メッセージが、前記ラジオ局の前記無線周波数のインジケータを備える、請求項１８に記載の無線装置。
【請求項２４】
前記テキストデータの第１の組が前記無線周波数の表現を備え、また前記ラジオエンハンサモジュールがさらに、前記テキストデータの第１の組からの前記無線周波数の前記表現の構文解析を開始し、前記無線周波数の前記インジケータを生成し、かつ前記インジケータを前記同調推奨メッセージに追加するように動作可能である、請求項２３に記載の無線装置。
【請求項２５】
前記補足情報がさらに、前記マルチメディアコンテンツに対応するコンテンツ名の表現およびアーティスト名の表現の少なくとも一方を有する前記第１のデータグループと、前記複数の所定のデータグループからの第２のデータグループとの少なくとも一方を備えており、前記第２のデータグループが、前記テキストデータの第１の組とは異なるテキストデータの第２の組を備え、前記テキストデータの第２の組が、前記コンテンツ名の前記表現および前記アーティスト名の前記表現の少なくとも一方を備え、前記ラジオエンハンサモジュールがさらに、前記第１のデータグループおよび前記第２のデータグループの少なくとも一方からの前記テキストデータの第１の組からの前記コンテンツ名の前記表現および前記アーティスト名の前記表現の少なくとも一方を構文解析すること、および前記コンテンツ名の前記表現および前記アーティスト名の前記表現の少なくとも一方を前記同調推奨メッセージに追加することを開始するように動作可能である、請求項２３に記載の無線装置。
【請求項２６】
前記マルチメディアコンテンツがさらに、一連の１次コンテンツおよび２次コンテンツを備え、前記補足情報がさらに、前記第１のデータグループおよび前記第１のデータグループとは異なる第２のデータグループの少なくとも一方を備えており、前記第１のデータグループおよび前記第２のデータグループの一方が、前記１次コンテンツまたは前記２次コンテンツに対応するコンテンツ識別子を備え、また前記ラジオエンハンサモジュールがさらに、前記２次コンテンツに対応する前記コンテンツ識別子を検出すること、または前記１次コンテンツに対応する前記コンテンツ識別子が存在しないことを検出することに基づいて、前記所定の機能を開始するように動作可能である、請求項１８に記載の無線装置。
【請求項２７】
出力装置をさらに備えており、前記メモリがさらに、所定のコンテンツ、ウェブブラウジングアプリケーション、音声呼出アプリケーション、およびデータ呼出アプリケーションを備え、前記ラジオエンハンサモジュールがさらに、前記出力装置上で前記所定のコンテンツをレンダリングすること、前記ウェブブラウジングアプリケーションを呼び出すこと、前記音声呼出アプリケーションを呼び出すこと、および前記データ呼出アプリケーションを呼び出すことのうちの少なくとも１つを開始するように動作可能である、請求項２６に記載の無線装置。
【請求項２８】
前記マルチメディアコンテンツを受信することがさらに、一連の１次コンテンツおよび２次コンテンツを備え、前記補足情報がさらに、前記第１のデータグループおよび前記第１のデータグループとは異なる第２のデータグループの少なくとも一方を備えており、前記第１のデータグループおよび前記第２のデータグループの一方が、前記１次コンテンツまたは前記２次コンテンツに対応する音楽／音声スイッチコードまたはグループタイプコードまたはバージョンフラグのうちの少なくとも１つを備え、また前記ラジオエンハンサモジュールがさらに、前記２次コンテンツに対応する音楽／音声スイッチコードまたはグループタイプコードまたはバージョンフラグのうちの前記少なくとも１つを検出すること、または前記１次コンテンツに対応する音楽／音声スイッチコードまたはグループタイプコードまたはバージョンフラグのうちの前記少なくとも１つが存在しないことを検出することに基づいて、前記所定の機能を開始するように動作可能である、請求項１８に記載の無線装置。
【請求項２９】
出力装置をさらに備えており、前記メモリがさらに、コンテンツダウンロードアプリケーション、データ呼出アプリケーション、音声呼出アプリケーション、ウェブブラウジングアプリケーション、所定のコンテンツ、ウェブブラウジングアプリケーション、音声呼出アプリケーション、およびデータ呼出アプリケーションを備え、前記ラジオエンハンサモジュールがさらに、前記コンテンツダウンロードアプリケーションを呼び出すこと、前記データ呼出アプリケーションを呼び出すこと、前記音声呼出アプリケーションを呼び出すこと、前記ウェブブラウジングアプリケーションを呼び出すこと、照会への応答の少なくとも一部を自動的に構成すること、前記出力装置上で前記所定のコンテンツをレンダリングすること、および前記無線装置の機能を変更することのうちの少なくとも１つを開始するように動作可能である、請求項１８に記載の無線装置。
【請求項３０】
ディスプレイをさらに備えており、前記ラジオエンハンサモジュールがさらに、前記第１のフラグに対応する所定のフォーマットを備え、前記ラジオエンハンサモジュールがさらに、前記テキストデータの第１の組を、前記ディスプレイ上に前記所定のフォーマットで表示することを開始するように動作可能である、請求項１８に記載の無線装置。
【請求項３１】
ディスプレイをさらに備えており、前記ラジオエンハンサモジュールがさらに、前記第１のタグ、および前記テキストデータの第１の組に対応する所定のフォーマットを備え、前記ラジオエンハンサモジュールがさらに、前記第１のタグ、および前記テキストデータの第１の組に基づき、所定のコンテンツを前記ディスプレイ上に表示することを開始するように動作可能である、請求項１８に記載の無線装置。
【請求項３２】
放送のためにラジオ信号を生成する方法であって、
音楽データ及びオーディオデータのうちの少なくとも１つを含むマルチメディアコンテンツを取得すること、
前記マルチメディアコンテンツに対応する補足情報を取得することであり、前記補足情報が、異なるデータをそれぞれが備える複数の所定のデータグループからの第１のデータグループを備え、前記第１のデータグループがさらに、第１のタグ、および対応するテキストデータの第１の組を備えること、および
前記マルチメディアコンテンツおよび前記マルチメディアコンテンツに対応する前記補足情報を備える放送ラジオ伝送を生成することであり、無線装置により、前記放送ラジオ伝送を受信し、かつ前記第１のタグ、および前記テキストデータの第１の組を検出したことに応じて、前記第１のタグ、および前記テキストデータの第１の組が、前記無線装置の所定の機能を可能にし、
前記補足情報を取得することがさらに、ラジオデータシステムフォーマット、またはラジオ放送データシステムフォーマットの前記補足情報を取得することを含み、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御する、方法。
【請求項３３】
前記第１のデータグループを備える前記補足情報を取得することがさらに、ラジオデータシステムフォーマット、またはラジオ放送データシステムフォーマットのメッセージを取得することを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、グループ１３Ａメッセージのうちの少なくとも１つを備える、請求項３２に記載の方法。
【請求項３４】
前記放送ラジオ伝送を生成することがさらに、前記複数の所定のデータグループからの第２のデータグループを有する前記補足情報を取得することを備え、前記第２のデータグループがさらに、前記テキストデータの第１の組とは異なるテキストデータの第２の組を備え、また前記放送ラジオ伝送を生成することがさらに、前記テキストデータの第２の組を前記無線装置のメモリに記憶することができるように動作可能である、請求項３２に記載の方法。
【請求項３５】
前記放送ラジオ伝送を生成することがさらに、ラジオ局に対応する無線周波数でラジオ信号を生成することを備え、また前記放送ラジオ伝送を生成することがさらに、前記無線装置により受信されたユーザ入力に応じて、選択されたアドレスに送信するための同調推奨メッセージを、前記無線装置上に常駐するメッセージングアプリケーションで自動的に構成することを可能にし、前記同調推奨メッセージが、前記ラジオ局の前記無線周波数のインジケータを備える、請求項３２に記載の方法。
【請求項３６】
前記放送ラジオ伝送を生成することがさらに、一連の１次コンテンツおよび２次コンテンツで前記マルチメディアコンテンツを生成することを備え、前記補足情報を取得することがさらに、前記第１のデータグループおよび前記第１のデータグループとは異なる第２のデータグループの少なくとも一方を取得することを備え、前記第１のデータグループおよび前記第２のデータグループの一方が、前記１次コンテンツまたは前記２次コンテンツに対応するコンテンツ識別子を備え、また前記放送ラジオ伝送を生成することがさらに、前記無線装置が前記２次コンテンツに対応する前記コンテンツ識別子を検出すること、または前記１次コンテンツに対応する前記コンテンツ識別子が存在しないことを検出することに基づいて、前記所定の機能を開始するように動作可能である、請求項３２に記載の方法。
【請求項３７】
前記放送ラジオ伝送を生成することがさらに、前記無線装置で、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを可能にする、請求項３２に記載の方法。
【請求項３８】
無線装置でラジオ信号を処理するように構成されたプロセッサであって、
音楽データ及びオーディオデータのうちの少なくとも１つを含むマルチメディアコンテンツを取得するための第１のモジュールと、
前記マルチメディアコンテンツに対応する補足情報を取得するための第２のモジュールであり、前記補足情報が、異なるデータをそれぞれが備える複数の所定のデータグループからの第１のデータグループを備えており、前記第１のデータグループがさらに、第１のタグ、および対応するテキストデータの第１の組を備える、第２のモジュールと、
前記マルチメディアコンテンツおよび前記マルチメディアコンテンツに対応する前記補足情報を備える放送ラジオ伝送を生成するための第３のモジュールであり、無線装置により前記第１のタグ、および前記テキストデータの第１の組を検出したことに応じて、前記第１のタグ、および前記テキストデータの第１の組が、前記無線装置の所定の機能を可能にする、第３のモジュールとを具備し、
前記捕捉情報はさらに、ラジオデータシステムフォーマット、またはラジオ放送データシステムフォーマットにおける情報を備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御することを可能にする、プロセッサ。
【請求項３９】
コンピュータに、音楽データ及びオーディオデータのうちの少なくとも１つを含むマルチメディアコンテンツを取得させるためのコードの第１の組と、
前記コンピュータに、前記マルチメディアコンテンツに対応する補足情報を取得させるためのコードの第２の組であり、前記補足情報が、異なるデータをそれぞれが備える複数の所定のデータグループからの第１のデータグループを備えており、前記第１のデータグループがさらに、第１のタグ、および対応するテキストデータの第１の組を備える、コードの第２の組と、
前記コンピュータに、前記マルチメディアコンテンツおよび前記マルチメディアコンテンツに対応する前記補足情報を備える放送ラジオ伝送を生成させるためのコードの第３の組であり、無線装置により、前記放送ラジオ伝送を受信し、かつ前記第１のタグ、および前記テキストデータの第１の組を検出したことに応じて、前記第１のタグ、および前記テキストデータの第１の組が、前記無線装置の所定の機能を可能にする、コードの第３の組とを備え、
前記捕捉情報はさらに、ラジオデータシステムフォーマット、またはラジオ放送データシステムフォーマットの情報を備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御することを可能にする、コンピュータプログラム。
【請求項４０】
音楽データ及びオーディオデータのうちの少なくとも１つを含むマルチメディアコンテンツを取得するための手段と、
前記マルチメディアコンテンツに対応する補足情報を取得するための手段であり、前記補足情報が、異なるデータをそれぞれが備える複数の所定のデータグループからの第１のデータグループを備えており、前記第１のデータグループがさらに、第１のタグ、および対応するテキストデータの第１の組を備える手段と、
前記マルチメディアコンテンツおよび前記マルチメディアコンテンツに対応する前記補足情報を備える放送ラジオ伝送を生成するための手段であり、無線装置により、前記放送ラジオ伝送を受信し、かつ前記第１のタグ、および前記テキストデータの第１の組を検出したことに応じて、前記第１のタグ、および前記テキストデータの第１の組が、前記無線装置の所定の機能を可能にする手段とを備え、
前記捕捉情報はさらにラジオデータシステムフォーマット、またはラジオ放送データシステムフォーマットの情報を具備し、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記検出された第１のタグ、および前記検出されたテキストデータの第１の組によりトリガされ、無線装置の使用データの収集またはレポートを制御することを可能にする、装置。
【請求項４１】
音楽データ及びオーディオデータのうちの少なくとも１つを含むマルチメディアコンテンツおよび前記マルチメディアコンテンツに対応する補足情報を備えるメモリであり、前記補足情報が、異なるデータをそれぞれが備える複数の所定のデータグループからの第１のデータグループを備えており、前記第１のデータグループがさらに、第１のタグ、および対応するテキストデータの第１の組を備える、メモリと、
前記メモリと通信するプロセッサと、
前記プロセッサと通信し、前記マルチメディアコンテンツおよび前記補足情報を備える放送ラジオ伝送を生成するように動作可能な放送ジェネレータであり、無線装置により、前記放送ラジオ伝送を受信し、かつ前記第１のタグ、および前記テキストデータの第１の組を検出したことに応じて、前記第１のタグ、および前記テキストデータの第１の組が、前記無線装置の所定の機能を可能にする、放送ジェネレータとを備え、
前記捕捉情報はさらに、ラジオデータシステムフォーマット、またはラジオ放送データシステムフォーマットの情報を具備し、前記第１のデータグループが、ラジオテキストメッセージグループ、トランスペアレントデータチャネルメッセージグループ、構内アプリケーションメッセージグループ、および自由形式メッセージグループのうちの少なくとも１つを備え、
前記所定の機能は、前記放送ラジオ伝送の生成を介して、前記無線装置における無線装置の使用データの収集またはレポートを制御することを可能にする、ラジオ放送装置。
【請求項４２】
前記第１のデータグループがさらに、ラジオデータシステムフォーマット、またはラジオ放送データシステムフォーマットのメッセージを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、グループ１３Ａメッセージのうちの少なくとも１つを備える、請求項４１に記載のラジオ放送装置。
【請求項４３】
前記補足情報がさらに、前記複数の所定のデータグループからの第２のデータグループを備え、前記第２のデータグループがさらに、前記テキストデータの第１の組とは異なるテキストデータの第２の組を備え、また前記放送ジェネレータがさらに、前記放送ラジオ伝送の生成を介して、前記テキストデータの第２の組を前記無線装置のメモリに記憶することを可能にする、請求項４１に記載のラジオ放送装置。
【請求項４４】
放送ラジオ伝送が、ラジオ局に対応する無線周波数でラジオ信号を備え、また前記放送ジェネレータがさらに、前記放送ラジオ伝送の生成を介して、前記無線装置により受信されたユーザ入力に応じて、選択されたアドレスに送信するための同調推奨メッセージを、前記無線装置が前記無線装置上に常駐するメッセージングアプリケーションで自動的に構成することを可能にし、前記同調推奨メッセージが、前記ラジオ局の前記無線周波数のインジケータを備える、請求項４１に記載のラジオ放送装置。
【請求項４５】
前記マルチメディアコンテンツがさらに、一連の１次コンテンツおよび２次コンテンツを備えており、前記補足情報がさらに、前記第１のデータグループおよび前記第１のデータグループとは異なる第２のデータグループの少なくとも一方を備え、前記第１のデータグループおよび前記第２のデータグループの一方が、前記１次コンテンツまたは前記２次コンテンツに対応するコンテンツ識別子を備え、また前記放送ジェネレータがさらに、前記放送ラジオ伝送の生成を介して、前記無線装置が、前記２次コンテンツに対応する前記コンテンツ識別子を検出すること、または前記１次コンテンツに対応する前記コンテンツ識別子が存在しないことを検出することに基づいて、前記所定の機能を開始するように動作可能である、請求項４１に記載のラジオ放送装置。
【請求項４６】
前記放送ジェネレータがさらに、前記放送ラジオ伝送の生成を介して、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを前記無線装置で可能にする、請求項４１に記載のラジオ放送装置。
【発明の詳細な説明】
【技術分野】
【０００１】
（米国法典第３５巻第１１９条下の優先権の主張）
本特許出願は、本願の譲受人に譲渡された、また参照により本明細書に明示的に組み込まれる２００６年４月２０日に出願された、「Tagging Language for RDS/RBDS in FM」と題する米国特許仮出願第６０／７９４０４０号に対する優先権を主張する。
【０００２】
記載される諸態様は、一般に、受信装置における放送ラジオの使用に関する。さらに詳細には、記載される諸態様は、ラジオ放送に組み込まれるタグに関する。
【背景技術】
【０００３】
ＦＭラジオ局などの放送ラジオ局は、その通常のラジオ番組、例えば、音楽、トーク、ニュースなどに対応する補足情報を送信するために、本明細書では、共に「ＲＤＳ」と呼ぶＲＤＳ（ラジオデータシステム）、またはＲＢＤＳ（ラジオ放送データシステム）として知られるシステムを使用することができる。ＲＤＳは、特定のラジオ局の識別、番組のタイプ、ならびにアーティストおよび／または歌の名前などのテキスト情報など、放送ラジオ局によって送信されるいくつかのタイプの補足情報のための標準プロトコルを提供する。
【０００４】
例えば、放送ラジオ局は、その番組および補足情報を、単一の搬送波に多重化された別々の信号として、ＲＤＳフォーマットで送信する。何らかの無線通信装置と共に含まれるもの、または乗り物に含まれるものなど、ＲＤＳ復号器を有するラジオ受信装置は、ユーザが、送信された番組を聞くことを可能にし、かつ対応する補足情報をディスプレイ上で見ることを可能にする。
【０００５】
ＲＤＳを備えるラジオ番組を利用する、またはそれと共に働くいくつかの新しい仕様およびサービスが開発されてきた。例えば、いくつかの仕様は、ラジオのテキスト情報の表示など、補足情報の部分を制御できる追加のメッセージを提供する。他の例では、いくつかのサービスは、データ接続を用いる受信装置にコンテンツを提供するために開発されてきており、そのコンテンツは、ＲＤＳデータを介してラジオ番組と同期化される。
【特許文献１】米国特許仮出願第６０／７９４０４０号
【非特許文献１】ＩＥＣ（国際電気標準会議）規格ＩＥＣ６２１０６、第１版、１９９８年４月９日、「United States RDBS Standard」
【非特許文献２】ＥＢＵ（ヨーロッパ放送連合）／ＣＥＮＥＬＥＣ規格ＥＮ５００６７、１９９８年、「Specification of the Radio Data System」
【発明の開示】
【発明の概要】
【０００６】
上記で述べた解決策は、ラジオ番組の機能性を改善しようと試みるものであるが、そのプロセス中に、乏しい資源を消費するおそれがある。例えば、ＲＤＳに新しいメッセージを追加する仕様は、ＲＤＳフォーマットの補足情報で利用可能な限られた帯域幅を消費し、またいくつかの場合、限られた数の文字を消費する。さらに、ストリーミングデータ接続を必要とするサービスは、そのデータサービスに対する使用コストを増加させ、また電力使用量を増加させる。したがって、ラジオ番組の機能性を高めるように改善された解決策が望まれる。
【０００７】
装置、方法、プロセッサ、およびコンピュータプログラム製品は、マルチメディアコンテンツの放送ラジオ伝送に関してユーザの対話性、および／または高められたユーザ体験を提供する。
【０００８】
一態様では、無線装置でラジオ信号を処理する方法は、マルチメディアコンテンツおよびそのマルチメディアコンテンツに対応する補足情報を備える放送ラジオ伝送を受信することを備える。補足情報は、異なるデータをそれぞれが備える複数の所定のデータグループからの第１のデータグループを備え、第１のデータグループはさらに、第１のタグ、および対応するテキストデータの第１の組を備える。方法はまた、第１のタグ、およびテキストデータの第１の組を検出すること、および検出された第１のタグ、および検出されたテキストデータの第１の組に基づき、無線装置の所定の機能を可能にすることを含む。関連する態様では、少なくとも１つのプロセッサが、無線装置上でラジオ信号を処理するように構成され、その少なくとも１つのプロセッサは、上記で述べたアクションを実施するための１つまたは複数のモジュールを備える。他の関連する態様では、コンピュータプログラム製品は、上記で述べたアクションを実施するためのコードの１つまたは複数の組を備えるコンピュータ可読媒体を備える。
【０００９】
他の態様では、装置は、マルチメディアコンテンツ、およびそのマルチメディアコンテンツに対応する補足情報を備える放送ラジオ伝送を受信するための手段を備える。補足情報は、異なるデータをそれぞれが備える複数の所定のデータグループからの第１のデータグループを備え、第１のデータグループがさらに、第１のタグ、および対応するテキストデータの第１の組を備える。さらに、装置は、第１のタグ、およびテキストデータの第１の組を検出するための手段、および検出された第１のタグ、および検出されたテキストデータの第１の組に基づき、無線装置の所定の機能を可能にするための手段を備える。
【００１０】
他の態様では、無線装置は、メモリ、プロセッサ、受信装置、および受信装置モジュールを備える。メモリはさらに、ラジオエンハンサモジュールを備え、プロセッサは、メモリと通信し、かつラジオエンハンサモジュールを実行するように動作可能である。さらに、受信装置はプロセッサと通信し、マルチメディアコンテンツおよびそのマルチメディアコンテンツに対応する補足情報を備える放送ラジオ伝送を受信するように動作可能である。補足情報は、異なるデータをそれぞれが備える複数の所定のデータグループからの第１のデータグループを備え、第１のデータグループはさらに、第１のタグ、および対応するテキストデータの第１の組を備える。さらに、受信装置モジュールは、受信装置と関連付けられており、また受信装置モジュールは、第１のタグ、およびテキストデータの第１の組を検出するように動作可能な回路を備える。さらに、プロセッサは、ラジオエンハンサモジュールを実行して受信装置モジュールをモニタするように動作可能であり、ラジオエンハンサモジュールは、第１のタグ、およびテキストデータの第１の組に基づいて無線装置の所定の機能を可能にするように、第１のタグ、およびテキストデータの第１の組の検出に応じて動作可能である。
【００１１】
さらに他の態様では、放送のためのラジオ信号を生成する方法は、マルチメディアコンテンツを取得すること、およびそのマルチメディアコンテンツに対応する補足情報を取得することを備える。補足情報は、異なるデータをそれぞれが備える複数の所定のデータグループからの第１のデータグループを備え、第１のデータグループはさらに、第１のタグ、および対応するテキストデータの第１の組を備える。方法はさらに、マルチメディアコンテンツおよびそのマルチメディアコンテンツに対応する補足情報を備える放送ラジオ伝送を生成することを含み、第１のタグ、およびテキストデータの第１の組は、無線装置により、放送ラジオ伝送を受信し、かつテキストデータの第１のタグ、および第１の組を検出することに応じて、無線装置に所定の機能を可能にするように動作可能である。関連する態様では、少なくとも１つのプロセッサが、無線装置でラジオ信号を処理するように構成され、また上記のアクションを実施するための１つまたは複数のモジュールを備える。他の関連する態様では、コンピュータプログラム製品は、上記のアクションを実施するためのコードの１つまたは複数の組を備えるコンピュータ可読媒体を備える。
【００１２】
さらに他の態様では、装置は、マルチメディアコンテンツを取得するための手段、およびそのマルチメディアコンテンツに対応する補足情報を取得するための手段を備える。補足情報は、異なるデータをそれぞれが備える複数の所定のデータグループからの第１のデータグループを備え、第１のデータグループはさらに、第１のタグ、および対応するテキストデータの第１の組を含む。さらに、装置は、マルチメディアコンテンツ、およびそのマルチメディアコンテンツに対応する補足情報を備える放送ラジオ伝送を生成するための手段を含み、第１のタグ、およびテキストデータの第１の組は、無線装置により、放送ラジオ伝送を受信し、かつ第１のタグ、およびテキストデータの第１の組を検出したことに応じて無線装置の所定の機能を可能にするように動作可能である。
【００１３】
他の態様では、ラジオ放送装置は、マルチメディアコンテンツおよびそのマルチメディアコンテンツに対応する補足情報を備えるメモリを備え、補足情報は、異なるデータをそれぞれが備える複数の所定のデータグループからの第１のデータグループを備え、第１のデータグループはさらに、第１のタグ、および対応するテキストデータの第１の組を備える。ラジオ放送装置はまた、メモリと通信するプロセッサ、およびプロセッサと通信する放送ジェネレータを含む。放送ジェネレータは、マルチメディアコンテンツおよび補足情報を備える放送ラジオ伝送を生成するように動作可能であり、第１のタグ、およびテキストデータの第１の組は、無線装置により、放送ラジオ伝送を受信し、かつ第１のタグ、およびテキストデータの第１の組を検出したことに応じて無線装置の所定の機能を可能にするように動作可能である。
【詳細な説明】
【００１４】
上述の諸態様は、概して、放送ラジオ伝送において、無線通信装置に伝えられるタグ、およびそれに対応するタグに関連するデータに基づき、無線通信装置上で所定の機能を可能にすることに関する。
【００１５】
図１を参照すると、一態様では、向上させた放送ラジオシステム１０は、地上波ベースの局１６、および／または衛星ベースの局１８など、放送ラジオネットワーク１５から放送ラジオ伝送１４を受信するように動作可能な無線通信装置１２を含む。放送ラジオ伝送１４は、音楽または他のオーディオデータなどのマルチメディアコンテンツ２０、およびそれぞれのマルチメディアコンテンツ２０に対応する、かつ／またはそれを記述する補足情報２２を含む。具体的には、補足情報２２は、タグ２４および対応するデータ２６、もしくは１組の１つまたは複数のデータなどのタグに関連するデータを備えることができる。例えば、タグ２４は、対応するデータ２６がそれにより分類され得る知られた識別子を備えることができ、かつ／またはタグ２４は、何らかの所定のアクションを開始するための知られたトリガを備えることができ、そのアクションは対応するデータ２６を使用することができる。
【００１６】
さらに、無線通信装置１２は、マルチメディアコンテンツ２０から、タグ２４および対応するデータ２６を検出し、かつ分離するように、また、それぞれ、スピーカ３２およびディスプレイ３４など、ユーザインターフェース３０でレンダリングするために、各コンポーネントを転送するように動作可能な受信装置２８を含む。
【００１７】
さらに、無線通信装置１２は、受信装置２８と通信するラジオエンハンサモジュール３６を含む。ラジオエンハンサモジュール３６は、タグ２４および対応するデータ２６を受信し、または検出することに基づいて、無線通信装置１２の所定の機能３８を可能にするように動作可能である。具体的には、所定の機能３８は、放送ラジオ伝送１４に関して、ユーザの対話性を促進すること、またはユーザ体験を高めることに関係する機能を含む。
【００１８】
例えば、放送ラジオ伝送１４により表現されたラジオ番組中に、タグ２４およびデータ２６は、ラジオエンハンサモジュール３６をトリガして、マルチメディアコンテンツ２０と関連付けられた着信音、歌、アルバムグラフィックス、ビデオ、購入アクセサリなどをユーザがダウンロードできるようにするための、例えば、グラフィックス、テキスト、およびインタラクティブなホットキーを生成して、コンテキスト的な（contextual）ショッピングまたは電子商取引をトリガすることができる。他の例では、タグ２４およびデータ２６は、インタラクティブなオンライン投票およびクイズを開始することができ、あるいはユーザが、関心のある製品またはサービスのさらなる情報を要求することを可能にするインタラクティブな広告を提供することができる。さらに他の例では、タグ２４およびデータ２６は、使用履歴収集およびレポートアプリケーション、および／またはラジオ局もしくは同調推奨アプリケーションなど、無線装置１２上に常駐する他のアプリケーションを開始し、または呼び出すことができる。
【００１９】
図１では、放送ラジオネットワーク１５は、周波数変調（ＦＭ）および／または振幅変調（ＡＭ）ラジオ局など、ユーザに商用ラジオ番組を提供する任意の公的に、または専用に所有された放送ラジオ局を含むことができる。例えば、地上波ベースのラジオ局１６により放送される放送ラジオ伝送１４は、音楽などのマルチメディアコンテンツを表す情報を運ぶ変調されたラジオ搬送波信号を含む。さらに、伝送１４は、主搬送波信号に対応する補足情報２２を運ぶ副搬送波信号をさらに含むことができる。例えば、ＲＤＳシステムでは、副搬送波信号は、５７ｋＨｚで放送され、１１８７．５ビット／秒のデータレートを可能にする。したがって、地上波ベースのラジオ局１６は、マルチメディアコンテンツ２０と共に、補足情報２２を送信するために必要な機器を含む。次に、受信装置２８など、適切に装備された受信装置は、マルチメディアコンテンツ２０および補足情報２２を受信し、かつ復号するように動作可能であり、この情報がユーザにレンダリングされることを可能にし、ならびに本明細書で記述される高められた機能性を可能にする。例えば、地上波ベースのラジオ局１６から放送されたラジオ信号伝送を受信するために、受信装置２８は、ＦＭラジオ帯域、またはＡＭラジオ帯域、あるいはその両方で動作することができる。ＦＭおよびＡＭラジオ帯域の範囲は、国および／または地域によって変わり、また受信装置２８は、所与の国および／または地域における所与の帯域に関して動作するように調整され得ることに留意されたい。
【００２０】
さらに、衛星ベースの局１８は、音楽および／またはトークラジオなどのラジオ番組を無線通信装置１２のユーザに送信する地球を回る軌道における１つまたは複数の衛星４０を含むことができる。ＳＩＲＩＵＳおよびＸＭ  ＲＡＤＩＯなどの衛星ラジオプロバイダは、ユーザに商用の衛星ラジオ番組を提供する。無線通信装置１０が、衛星信号を介して、放送ラジオ伝送１４を受信する場合、受信装置２８は、信号をギガヘルツ（ＧＨｚ）の範囲で受信するように動作可能である。
【００２１】
さらに、図１では、無線通信装置１２は、アンテナ４６に通信可能に接続された基地局サブシステム（ＢＳＳ）４４を含む無線通信ネットワーク４２を介して遠隔装置と通信するようにさらに動作可能である。図示されていないが、ネットワーク４２はまた、無線通信装置１２に提供される通信およびサービスを容易にするように動作可能な基地局コントローラ、移動体スイッチングセンタ、位置決定エンティティ、グループ通信サーバなど他の通信ネットワークコンポーネントを含むこともできる。ネットワーク４２は、ＣＤＭＡ（符号分割多元接続）、ｃｄｍａＯｎｅ、ｃｄｍａ２０００、ＵＭＴＳ（Universal Mobile Telecommunication System）、広帯域ＣＤＭＡ、ＧＳＭ（Global System for Mobile Communications）、およびＴＩＡ／ＥＩＡ−１３６を含む任意の知られた規格に従って動作する任意の専用のまたは公開された無線通信ネットワークとすることができる。
【００２２】
より具体的には、図１および２を参照すると、無線通信装置１２が携帯電話として示されているが、無線通信装置１２は、放送信号を受信できる任意のコンピュータ化された装置を含むことができることを理解されたい。したがって、システム１０は、携帯電話、ＰＤＡ（携帯情報端末）、衛星電話、パームコンピュータ、ＰＣＳ（Personal Communication Services）装置、可搬型のゲームもしくは音楽装置などを含むことのできる１つまたは複数の無線通信装置１２を含むことができる。
【００２３】
図１および２を参照すると、上記で述べたように、無線通信装置１２は、通信装置へのインプットを生成するための少なくとも１つの入力装置と、通信装置のユーザにより消費される情報を生成するための少なくとも１つの出力機構とを含むユーザインターフェース３０を有する。例えば、入力装置は、キー、キーパッド４８および／またはキーボード、マウス、タッチ画面ディスプレイ、マイクロフォン５０などの機構を含むことができる。いくつかの態様では、入力装置は、アプリケーション、またはラジオエンハンサモジュール３６などのプログラムもしくはモジュールと対話するためのユーザ入力を提供する。さらに、例えば、出力装置は、オーディオスピーカ３２、ディスプレイ３４、触覚フィードバック機構などを含むことができる。例示された諸態様では、ディスプレイ３４は、局の識別、歌のタイトル、およびそのラジオ局で現在放送されている歌を演じているアーティストなどの情報を含むことのできる補足情報２２のすべて、または部分を示すように動作可能であり得る。さらに、例示された諸態様では、ディスプレイ３４は、本明細書で論ずるように、ラジオエンハンサモジュール３６の実行に基づいて、かつ／または所定の機能３８の開始に基づいてコンテンツを提示することができる。
【００２４】
さらに、無線通信装置１２は、プロセッサ５４、メモリ５６、オーディオ処理モジュール５８、アンテナ６２に接続された通信インターフェース６０、およびアンテナ６４を有する受信装置３６を備えるコンピュータプラットフォーム５２を含むことができる。
【００２５】
プロセッサ５４は、メモリ５６に記憶されたアプリケーション、またはプログラムもしくはモジュールに従って、無線通信装置１２の動作を制御する。制御機能は、例えば、単一のマイクロプロセッサで、または複数のマイクロプロセッサで実施することができる。適切なマイクロプロセッサは、汎用および専用のマイクロプロセッサ、ならびにデジタル信号プロセッサを含むことができる。さらに、例えば、プロセッサ５４は、ＡＳＩＣ（特定用途向けＩＣ）、または他のチップセット、論理回路、または他のデータ処理デバイスとすることができる。プロセッサ５４、またはＡＳＩＣなどの他のデータ処理デバイスは、無線通信装置１２のメモリ５６に記憶された、任意の常駐アプリケーション、および／またはラジオエンハンサモジュール３６などのプログラムおよび／またはモジュールとインターフェースをとるＡＰＩ（application programming interface）レイヤ６６を実行することができる。ＡＰＩ６６は、通常、各無線通信装置１２上で実行される実行時環境である。１つのこのような実行環境は、米国カリフォルニア州サンディエゴのクアルコム社（Qualcomm Incorporated）により開発されたソフトウェア、ＢＲＥＷ（登録商標）（Binary Runtime Environment for Wireless（登録商標））である。例えば、無線コンピューティング装置上で、アプリケーションまたはプログラムもしくはモジュールの実行を制御するように動作する他の実行時環境を使用することもできる。
【００２６】
さらに、プロセッサ５４は、オーディオ処理モジュール５８とインターフェースをとる、またはそれを含むことができ、そのオーディオ処理モジュール５８は、スピーカ３２に出力信号を送り、かつマイクロフォン３４からインプットを受け取る。以下でさらに詳細に述べるように、プロセッサ５４は、補足情報２２内の１つまたは複数のタグ２４および対応するデータ２６に基づいて、ラジオエンハンサモジュール３６を実行し、かつ所定の無線装置機能３８を開始するように構成され得る。
【００２７】
メモリ５６は、無線通信装置１２と関連付けられたメモリのすべてを表しており、ＲＡＭ（ランダムアクセスメモリ）およびＲＯＭ（読取り専用メモリ）を共に含み、さらにＥＰＲＯＭ（消去可能なＲＯＭ）、ＥＥＰＲＯＭ（電気的に消去可能なＲＯＭ）、フラッシュカード、またはコンピュータプラットフォームに共通の任意のメモリを含むことができる。さらに、メモリ５６は、１つまたは複数のフラッシュメモリセルを含むことができ、あるいは磁気媒体、光媒体、テープ、またはソフトもしくはハードディスクなど、任意の２次または３次の記憶装置とすることができる。例えば、無線通信装置１２のオペレーションで使用されるコンピュータプログラム命令およびデータは、ＥＰＲＯＭ、ＥＥＰＲＯＭ、および／またはフラッシュメモリなどの不揮発性メモリに記憶することができる。さらに、メモリ５６は、ディスクリートのデバイス、積層型（stacked）デバイスとして実装することができ、あるいはプロセッサ５４と一体化され得る。メモリ２８はまた、区分され、かつ一時記憶バッファとして使用するように指定された領域を含むことができ、それは、ユーザインターフェース３０に向けてレンダリングするために、かつ／またはラジオエンハンサモジュール３６および／または所定の機能３８により使用するためにデータを記憶することができる。さらに、メモリ２８は、無線通信装置１２を動作させるためにプロセッサ５４により使用されるラジオエンハンサモジュール３６、所定の機能３８、および他のアプリケーション３９を記憶する。例えば、他のアプリケーション３９は、音声呼出アプリケーション、データ呼出アプリケーション、メッセージングアプリケーション、グループ呼出アプリケーション、マルチメディアアプリケーション、ＰＩＭ（personal information manager）、使用履歴収集、およびレポートアプリケーションなどの１つまたは任意の組合せを備えることができる。
【００２８】
さらに、通信インターフェース６０は、無線通信ネットワーク４２との通信メッセージの送信および受信を可能にする。例えば、一態様では、通信インターフェース６０は、無線通信ネットワークにおける１つまたは複数の基地局とセルラ信号を送信し、かつ受信するためのアンテナ６２に結合された長距離の送受信装置として実施される。送受信装置は、完全に機能性のあるセルラ無線送受信装置であり、ＣＤＭＡ、ｃｄｍａＯｎｅ、ｃｄｍａ２０００、ＵＭＴＳ、広帯域ＣＤＭＡ、ＧＳＭ（Global System for Mobile Communications）、およびＴＩＡ／ＥＩＡ−１３６を含む、任意の知られた規格に従って動作する。
【００２９】
受信装置３６は、アンテナ６４に結合され、スピーカ３２を介してユーザにアウトプットするために、ＦＭもしくはＡＭまたは衛星ラジオ局などのラジオ局により放送された信号を受信しかつ復調する。受信装置３６は、ＲＤＳシステムデータを備える放送ラジオ伝送１４を受信するように動作可能である。したがって、受信装置３６は、放送ラジオ局により送信される補足情報２２を復号するためのＲＤＳモジュール６８を含むことができる。放送ラジオ伝送１４を受信するために、受信装置３６は、対象とする放送ラジオ局に割り当てられた特定の送信周波数に同調される。
【００３０】
ＲＤＳモジュール６８は、受信されたＲＤＳ情報、特に、補足情報２２を復号するように動作可能な任意の回路を備えることができる。ＲＤＳまたはＲＢＤＳ全般に関する、または回路、メッセージング、符号化／復号化に関するさらなる情報については、参照によりそのそれぞれを本明細書に組み込む、ＮＲＳＣ（National Radio Systems Committee）のＲＢＤＳ小委員会により作成されたＩＥＣ（国際電気標準会議）規格ＩＥＣ６２１０６、第１版、１９９８年４月９日、「United States RDBS Standard」、およびＥＢＵ（ヨーロッパ放送連合）／ＣＥＮＥＬＥＣ規格ＥＮ５００６７、１９９８年、「Specification of the Radio Data System」を参照のこと。これらの規格は、ＦＭまたはＡＭ放送に適用できることに留意されたい。
【００３１】
図２を参照すると、上記で述べたように、放送ラジオ局１６または１８から受信された放送ラジオ伝送１４は、受信装置２８により、マルチメディアコンテンツ２０および補足情報２２へと構文解析される。受信装置２８は、マルチメディアコンテンツ２０を、スピーカ３２を介して信号を可聴音としてレンダリングするように動作可能であるオーディオ処理モジュール５８に送る。ＲＤＳモジュール３８はまた、放送ラジオ伝送１４を、それが何らかのＲＤＳデータを含むかどうかを判定するために受信する。具体的には、ＲＤＳモジュール３８は、ＲＤＳ規格により指定される５７ｋＨｚの副搬送波信号を復号し、かつその副搬送波で運ばれる任意の補足情報２２を抽出するように動作可能である。
【００３２】
補足情報２２は、例えば、ＡＦ（alternate frequency；代替周波数）データ、ＣＴ（clock date and time；クロック時間と日付）データ、ＥＯＮ（enhanced other networks；強化された他のネットワーク）データ、ＰＩ（program identification；番組識別）データ、ＰＩＮ（program item number；番組項目番号）データ、ＥＣＣ（extended country code；拡張型国別コード）データ、ＰＳ（program service；番組サービス）データ、ＳＰＳ（scrolling program service；スクローリング番組サービス）データ、ＰＴＹ（program type；番組のタイプ）データ、ＰＴＹＮ（program type name；番組タイプ名）データ、ＲＥＧ（regional links；地域リンク）データ、ＲＴ（radio text；ラジオテキスト）データ、ＴＡ（travel announcements；トラベル通知）データ、ＴＰ（travel program；トラベル番組）データ、ＴＭＣ（traffic message channel；トラフィックメッセージチャネル）データ、Ｍ／Ｓ（music/speech switch；音楽／音声スイッチ）データ、ＴＤＣ（transparent data channel；トランスペアレントデータチャネル）データ、ＲＰ（radio paging；ラジオページング）データ、ＩＨ（in house application；構内アプリケーション）データ、ＥＷＳ（emergency warning system；エマージェンシ警告システム）データ、および自由形式グループからのデータのうちの任意の１つまたは任意の組合せを含む、任意のＲＤＳデータを含むことができる。
【００３３】
復号された後、プロセッサ５４はＲＤＳモジュール６８を実行して、ラジオテキストデータなどの補足情報２２のいくつかを、ユーザによる閲覧のために、ディスプレイ３４に送信することができる。復号された補足情報２２はまた、本明細書で述べるように、ラジオエンハンサモジュール３６を実行し、また所定の機能３８を開始するために、プロセッサ５４により使用され得る。
【００３４】
概して、ＲＤＳ仕様によれば、ＲＤＳデータはグループにフォーマット化され、ＡタイプおよびＢタイプへと分割された１６グループがある。これらのグループは、上記で一覧表示された補足情報２２の異なるタイプ、例えば、ＰＩ、ＰＳ、ＰＴＹ、ＰＴＹＮ、ＲＴなどの異なるデータを含む。放送ラジオ局１６および／または１８におけるＲＤＳ符号器は、グループの様々な組合せをグループシーケンスで放送することができる。
【００３５】
グループは１０４ビットとしてフォーマット化され、また各グループは４ブロックに分割される。１つのブロックは２６ビットを含み、情報ワードおよび検査ワード＋オフセットワードに分割される。情報ワードは、１６ビットを含みデータを運ぶが、検査ワード＋オフセットワードは、１０ビットを含み、エラー訂正および同期化用である。
【００３６】
さらに、各グループに対して、ブロック１はラジオ局のＰＩコードを含み、ブロック２は、現在送信されるグループを識別するグループタイプコード、タイプＡもしくはタイプＢとしてグループを識別するバージョンフラグ、ＴＰフラグ、ＰＴＹ、および個別の５ビットを含み、またブロック３および４は、グループ特有のデータを含む。Ｂグループでは、よりよい同期化のために、ＰＩコードがブロック３で繰り返されることに留意されたい。
【００３７】
図３および４を参照すると、一態様では、少なくとも１つのタグ２４および対応するデータ２６が、ＲＤＳフォーマットによるグループＡメッセージ７２および／またはグループＢメッセージ７４のテキストデータ部分７０で示され得る。異なった形でフォーマット化されているが、本態様のオペレーションに関して、グループＡメッセージ７２とグループＢメッセージ７４の間に本質的な差はない。例えば、テキストデータ部分７０は、タグ２４として識別可能な所定のコード、対応するテキストデータ２６として識別可能であるようにタグ２４に対して配置されたテキスト、およびタグ２４に関係しない追加のテキストデータ２７など、任意のテキスト形式のデータを含むことができる。さらに、テキストデータ２６は、タグ２４に隣接して任意のテキストデータを備えることができるが、あるいは他のタグに達するまで、タグ２４の後にすべてのテキストデータを備えることができる。さらに、例えば、メッセージ７２および７４は、グループ２のＲＴ（ラジオテキスト）メッセージ、グループ５のＴＤＣ（トランスペアレントデータチャネル）メッセージ、およびグループ６のＩＨ（構内アプリケーション）メッセージを備えることができる。
【００３８】
さらに他の諸態様では、少なくとも１つのタグ２４および対応するデータ２６は、グループＡメッセージ７２および／またはグループＢメッセージ７４のテキストデータ部分７０で表すことができ、それは、ラジオエンハンサモジュール３６をトリガして、所定の機能３８を可能にするために、ＲＴ（ラジオテキスト）データ、ＴＤＣデータ、ＩＨデータ、ＰＩ（番組情報コード）データ７６、およびＰＴＹ（番組タイプ）データ７８など、各メッセージ内に含まれる他の補足データ２２を使用することができる。
【００３９】
さらに他の態様では、少なくとも１つのタグ２４および対応するデータ２６は、１つのメッセージのデータ部分７０で表すことができ、それは、ラジオエンハンサモジュール３６をトリガして、異なるメッセージの各データ部分７０からデータを収集し、または構文解析することができる。例えば、ＲＴおよび／またはＴＤＣおよび／またはＩＨメッセージのデータ部分７０は、ラジオエンハンサモジュール３６をトリガして、ＲＴまたはＴＤＣまたはＩＨメッセージ、グループ４ＡのＣＴ（クロック時間と日付）メッセージ、ＰＩＮ（番組項目番号）を含むグループ１Ａまたは１Ｂメッセージ、ＰＳ（番組サービス名）またはＳＰＳ（スクローリング番組サービス名）を含むグループ０Ａまたは０Ｂメッセージ、Ｍ／Ｓ（音楽／音声スイッチ）を含むグループ０Ａ、０Ｂおよび１５Ｂメッセージ、およびＰＴＹＮ（番組タイプ名）を含むグループ１０Ａメッセージなど、異なるメッセージの各データ部分７０からのデータを構文解析しまたは収集することができる。
【００４０】
さらに他の態様では、図５を参照すると、グループ３Ａ、１０Ａ、１１Ａ、１２Ａ、および１３Ａメッセージ８０は、最高で３つの自由形式（ＦＦ）部分８２を含むものとして定義することができ、それは、すべて補足データ２２を構成する（図１）タグ２４および対応するテキストデータ２６、追加のテキストデータ２７の任意の組合せの１つまたは複数のものを含むことができる。
【００４１】
他の態様では、少なくとも１つのタグ２４および対応するテキストデータ２６は、データ部分７０（図３および４）、またはデータ部分８２（図５）で表すことができ、それは、ラジオエンハンサモジュール３６をトリガして、メモリ５６からの、またはプロセッサ５４からのデータを収集しまたは構文解析することができる。
【００４２】
図３および４に戻って参照すると、ラジオテキストメッセージでは、テキストデータ部分７０は、通常、ディスプレイ３４に表示される任意のアルファベット文字、任意の数字文字、任意の記号などを含むテキストデータを運ぶビットを含む。例えば、テキストデータ部分７０は、ラジオ局名、ラジオ局のスローガン、歌の名前、およびアーティスト名を備えることができる。
【００４３】
所与のラジオ番組または歌の間、放送ラジオ局は、メッセージ中のすべてのテキスト形式の文字の適正な受信を保証すべく冗長性を提供するために、ＲＴメッセージ７２および／または７４を連続して数回送信することができる。さらに、グループの組合せのグループシーケンスは、上記で述べたように、冗長性を提供するために数回送信され得る。
【００４４】
グループ２Ａメッセージ７２の２つのラジオテキスト部分７０は、４つの文字を備え、最高で６４文字の長さのメッセージを送信するために使用することができる。それに反して、グループ２Ｂメッセージ７４の単一のラジオテキスト部分７０は、２つの文字を含むだけであり、最高で３２文字の長さのメッセージを送信するために使用することができる。したがって、タグ２４は、コンパクトな、すなわち短い所定のコード、例えば、１０文字またはそれ未満のコードを備えることができ、対応するデータ２６として使用するために、かつ／または追加のタグ２４および対応するテキスト２６のために、かつ／または表示用として追加のテキスト２７のために残りの文字数を最大化する。
【００４５】
タグ２４および対応するデータ２６の例は、これに限るわけではないが、以下のものを含む。すなわち、「ＲＪ：」、その後にラジオジョッキーの名前を示すデータが続く、「番組：」、その後にラジオ番組の名前を示すデータが続く、「歌手（singer）：」もしくは「歌手（singers）：」または「アーティスト：」、その後にアーティストの名前を示すデータが続く、「歌詞：」、その後に各歌の歌詞を示すデータが続く、「音楽：」、その後に音楽のソースを示すデータが続く、「アルバム：」または「ＣＤ：」は、その歌が記録されたアルバムまたはＣＤを示す、「フィルム：」、その後に対応するフィルムの名前を示すデータが続く、「スター：」その後にそのコンテンツに関連するスターの名前を示すデータが続く、「Ｑ：」、その後に照会または投票を示すデータが続く、「Ａｄｖｔ：」または「Ａｄ：」、その後に広告を示すデータが続き、他のタグが最初に生成されるまで、広告の表示をトリガする、「＞Ｃａｌｌ：」、その後にコールバック番号を示すデータが続き、ユーザがホットキーを活性化するのに応じて、コールバック番号へのコールバックの自動的な発動をトリガする、「＞ＳＭＳ：」、その後にコンテスト識別子、コールバック番号、および時間制限を示すデータが続き、メッセージングアプリケーションの自動的な発動、前述のデータを含むメッセージの自動的な構成および送信、ならびに時間制限内のユーザによる選択のインプットに基づくユーザ応答をトリガし、さらに、デバイス識別子、日付、時間、局の識別、都市の識別子、要求アプリケーション、および番組名を含むことができる、「＞ｈｔｔｐ：／／」、その後にＵＲＬ（universal resource locator）が続き、パケットデータセッションの発動をトリガし、生成されたホットキーのユーザ選択に応じてそのＵＲＬを示す、「＞Ｐｉｃ：」、その後にピクチャの名前または識別子を示すデータが続き、メモリからローカルのピクチャファイルの表示をトリガする、さらに「収集：」、既存のメッセージ中に、他のメッセージ中に、または無線通信装置のプロセッサ５４および／またはメモリ５６内に記憶されたものであり得る所定のデータまたはデータログの、タイミングおよび宛先アドレスを含む、収集、記憶、およびレポートを規定するパラメータがその後に続く。
【００４６】
ＲＤＳモジュール３８は、グループタイプコード８４および／またはバージョンフラグ８６に対応するビットを分析することにより、ＲＤＳメッセージを区別するように動作可能であり、したがって、送信されたグループタイプまたはバージョンにかかわらず、ＲＤＳメッセージを適正に復号することができる。こうすることにより、ＲＤＳモジュール３８は、新しい歌など、新しいラジオ番組がいつ送信されているかを検出することが可能になる。他の態様では、ＲＤＳモジュール３８は、グループ０Ａ、０Ｂ、および１５ＢにおけるＭ／Ｓスイッチデータをモニタして、例えば、コマーシャルを示す音声を検出して、ラジオ番組がいつ開始し、または終了したかを判定することができる。
【００４７】
図１および２に戻って参照すると、タグ２４および対応するデータ２６および／または他の補足データ２２に基づいて、ラジオエンハンサモジュール３６により可能になった所定の機能３８は、それだけに限らないが、ユーザ体験を高めるために、対応するテキスト２６を、対応するマルチメディアコンテンツ２０と関連するかつ／または同期化することのできる、またはできないグラフィックまたはビデオまたは動画などの画像コンテンツと置き換えるように動作するラジオエンハンサモジュール３６と、所定のプロンプトを生成する、またはインタラクティブな画面もしくはメッセージを構成するように動作するラジオエンハンサモジュール３６と、ホットキーを生成し、またユーザ入力に応じて、音声呼出し、データまたはショートメッセージサービス呼出しなどのアクションを可能にするように動作するラジオエンハンサモジュール３６と、プログラムまたはアプリケーションを呼び出すことにより、または対応するデータ２６から決定された所与のＵＲＬに対して、データ呼出しを呼び出すことにより、マルチメディアコンテンツ２０に関係するコンテキスト的な電子商取引をトリガするように動作するラジオエンハンサモジュール３６とのうちの１つまたは任意の組合せを含むことができる。
【００４８】
図１および６を参照すると、地上波ベースのラジオ局１６および衛星ベースのラジオ局１８など、ラジオ放送装置は、マルチメディアコンテンツ２０および補足情報２２を取得するために、また放送ラジオ伝送１４を生成するために、任意のハードウェア、ソフトウェア、ファームウェア、モジュールデータ、および命令を備えることができる。例えば、一態様では、ラジオ局１８にも等しく適用されるが、簡単化のためにラジオ局１６を参照すると、ラジオ放送装置は、マルチメディアコンテンツ２０、およびそのマルチメディアコンテンツ２０に対応する補足情報２２を記憶するように動作可能なメモリ８１を備えることができる。例えば、マルチメディアコンテンツ２０および補足情報２２は、コンテンツプロバイダから取得することができ、かつ／またはラジオ放送装置で生成され、または手動でインプットすることができる。さらに、例えば、ＲＤＳ規格によれば、補足情報２２は、異なるデータをそれぞれが備える複数の所定のデータグループからのデータグループを備えることができる。さらに、第１のデータグループは、タグ２４および対応するテキストデータ２６の組をさらに備えることができる。さらに、ラジオ放送装置は、メモリ８１と通信するプロセッサ８３と、プロセッサ８３と通信し、かつそれにより実行可能な放送ジェネレータ８５とを含むことができる。放送ジェネレータ８５は、マルチメディアコンテンツ２０および補足情報２２を備える放送ラジオ伝送１４を生成するように動作可能である。この場合、放送ラジオ伝送１４に含まれるタグ２４および対応するテキストデータ２６の組は、本明細書で述べるように、無線装置により、放送ラジオ伝送１４を受信した後に、またタグ２４およびテキストデータ２６を検出したことに応じて、無線装置１２の所定の機能３８を可能にするように動作可能である。放送ラジオ伝送１４、マルチメディアコンテンツ２０、および補足情報２２のさらなる諸態様は、さらに本明細書で説明される。
【００４９】
図７を参照すると、一態様では、プロセッサ５４が、受信装置２８およびラジオエンハンサモジュール３８に、無線通信装置１２でラジオ信号を処理するように動作させるための方法９０は、マルチメディアコンテンツおよびそのマルチメディアコンテンツに対応する補足情報を備える放送ラジオ伝送を受信することを含む（ブロック９２）。この場合、マルチメディアコンテンツ２０は、歌などのラジオ番組を備え、また補足情報２２は、ＲＤＳデータを備える。したがって、補足情報２２は、上記で論じた異なるＲＤＳグループなど、異なるデータをそれぞれが備える複数の所定のデータグループからの第１のデータグループを含む。さらに、この場合、第１のデータグループは、タグ２４などの第１のタグと、タグに関係したもしくは対応するデータ２６など、対応するテキストデータの第１の組とを含む。
【００５０】
好ましい態様では、放送ラジオ伝送１４を受信することは、ラジオテキストグループメッセージのラジオテキスト部分に、特にタグ２４および対応するデータ２６など、補足情報２２を有するＲＤＳフォーマット化信号を受信することを含む。これは、既存の規格内で便利でありかつ効率のよい機構を提供し、構成可能なタグ２４および構成可能な対応するデータ２６を提供する。さらに、ラジオテキストグループメッセージは、他のＲＤＳフォーマットのグループメッセージと比較したとき、比較的大量の利用可能なテキスト文字を有しており、それにより、比較的複雑なタグ付け言語フォーマットに対して、柔軟性および容量を提供する。さらに、ラジオテキストグループメッセージは、通常、すべてのラジオ番組と共に送信され、それにより、追加のグループメッセージが必要となる場合にそうであるが、（他の無線通信装置データサービスと比較して）比較的限定されたスループットの副搬送波信号において、必要なスループットを増加することなく、本システムの効率を高めることができる。
【００５１】
他の諸態様では、放送ラジオ伝送１４を受信することは、トランスペアレントデータチャネルグループメッセージ、構内アプリケーショングループメッセージ、および自由形式グループメッセージのうちの少なくとも１つの自由テキスト部分に補足情報２２を有するＲＤＳフォーマット化信号を受信することを含むことができる。
【００５２】
さらに他の態様では、放送ラジオ伝送１４を受信することは、ＲＤＳフォーマット化メッセージのグループシーケンスを受信することを含むことができ、その場合、補足情報２２は、複数のグループメッセージ中に含むことができ、また１つのグループメッセージ中のタグ２４は、１つまたは複数の他のグループメッセージ中のデータ２６と関係する、またはそれを参照することができる。
【００５３】
本方法はさらに、第１のタグ、およびテキストデータの第１の組を検出することを含む（ブロック９４）。例えば、プロセッサ５４は、受信装置２８に、放送ラジオ伝送１４を受信しかつ分析するように実行させる。放送ラジオ伝送１４が、マルチメディアコンテンツ２０および補足データ２２を運ぶ変調された信号を備える場合、受信装置２８は、ＲＤＳメッセージを解釈するように、また補足データ２２を検出し構文解析するようにＲＤＳモジュール６８を動作させる。いくつかの態様では、プロセッサ５４は、マルチメディアコンテンツ２０に対応する放送ラジオ伝送１４の一部を、スピーカ３２に送るように受信装置２８に指示し、一方、補足情報２２の少なくとも一部分に対応する部分をディスプレイ３４に送り、無線通信装置１２のユーザに提示するために共にレンダリングされる。例えば、典型的な場合、マルチメディアコンテンツ２０は、歌などのラジオ番組を備えることができ、一方、補足情報２２の表示された部分は、ＲＤＳメッセージのラジオテキスト部分、例えば、ディスプレイにわたりスクロールすることの可能な、または静的に表示され得るラジオ局名、歌のタイトル、およびアーティスト名などの文字を備える。
【００５４】
さらに、方法は、検出された第１のタグ、および検出されたテキストデータの第１の組に基づいて、無線装置の所定の機能を可能にすることを含む（ブロック９６）。例えば、プロセッサ５４は、ラジオエンハンサモジュール３６を実行して、補足情報２２の存在を検出するために、オーディオプロセッサモジュール５８に対する、受信装置２８、特にＲＤＳモジュール６８のアウトプットをモニタする。ラジオエンハンサモジュール３６は、ユーザと放送ラジオ伝送１４の間で対話性を提供し、かつ／または高められたユーザ体験を提供するために、無線通信装置１２により実行可能な機能など、対応する所定の機能３８に対して、それぞれの一意のタグ２４をマップするように動作可能な任意の論理を含むことができる。例えば、タグ２４は、ラジオエンハンサモジュール３６に、タグ２４に対応する所定のフォーマットで、ディスプレイ３４上にテキストデータ２６を表示することなどにより、ＲＤＳメッセージのテキストデータ部分を所定のフォーマットで表示するように動作可能な所定の機能３８を呼び出させることができる。他の諸態様では、タグ２４は、ラジオエンハンサモジュール３６に、所定のコード、ステートメントまたはワードを、グラフィックス、ピクチャ、動画、または他のテキストと置き換えるように動作可能な所定の機能３８を呼び出させることができる。言い換えると、データを置き換えることは、無線通信装置のディスプレイ上に所定のコンテンツを表示することを備え、その場合、所定のコンテンツは、タグ２４および対応するテキストデータ２６に対応しており、所定のコンテンツは、メモリ５６に記憶することができるが、あるいは無線通信装置１２上のデータサービスアプリケーションを呼び出すことにより取得することができる。さらに、例えば、タグ２４は、ラジオエンハンサモジュール３６に、ユーザからのインプットを収集するように、他のアプリケーションを簡便に呼び出すように、またはユーザ入力に応じて送られるメッセージを自動的に構成するように動作可能な所定の機能３８を呼び出させることができる。
【００５５】
ラジオ番組に関係する使用履歴情報を収集する例など、さらに他の例では、所定の機能を可能にすることはさらに、番組サービス名、番組識別コード、番組タイプコード、ラジオテキストメッセージ、およびクロック時間のうちの少なくとも１つを無線装置のメモリに記憶することを備える。
【００５６】
無線通信装置上の他のアプリケーションに対応する使用履歴情報を収集することに関係する他の例では、所定の機能を可能にすることはさらに、無線装置上で実行される、もしくは実行するアプリケーションの使用量の収集またはレポートを制御することを備える。
【００５７】
さらに他の場合では、例えば、ラジオ番組を他の局（party）に参照することに関して、放送ラジオ伝送を受信することはさらに、各ラジオ局に対応する無線周波数でラジオ信号を受信することを備えており、また所定の機能を可能にすることはさらに、ユーザ入力に応じて選択されたアドレスに送信するための同調推奨メッセージを、メッセージングアプリケーションで自動的に構成することを備え、その同調推奨メッセージは、ラジオ局の無線周波数のインジケータを備える。
【００５８】
この場合、例えば、テキストデータの第１の組は、無線周波数の表現を備えており、また自動的に構成することはさらに、テキストデータの第１の組からの無線周波数の表現を構文解析し、その構文解析に基づいて、無線周波数のインジケータを生成し、かつそのインジケータを同調推奨メッセージに追加することを備える。
【００５９】
代替的には、同調を推奨する場合、放送信号を受信することはさらに、コンテンツ名の表現およびマルチメディアコンテンツに対応するアーティスト名の表現の少なくとも一方をさらに備える第１のデータグループと、複数の所定のデータグループからの第２のデータグループとの少なくとも一方を備える補足情報を受信することを備える。この場合、第２のデータグループは、テキストデータの第１の組とは異なるテキストデータの第２の組を備え、テキストデータの第２の組は、コンテンツ名の表現、およびアーティスト名の表現の少なくとも一方を備える。さらにこの場合、自動的に構成することはさらに、第１のデータグループおよび第２のデータグループの少なくとも一方から、テキストデータの第１の組からのコンテンツ名の表現およびアーティスト名の表現の少なくとも一方を構文解析すること、およびコンテンツ名の表現およびアーティスト名の表現の少なくとも一方を、同調推奨メッセージに追加することを備える。
【００６０】
さらに他の用途の場合、方法は、コマーシャル中、または歌の間に行われるトーク中など、通常のラジオ番組における中断時にアクションをトリガするために使用され得る。この場合、放送ラジオ伝送を受信することはさらに、一連の１次コンテンツおよび２次コンテンツを有するマルチメディアコンテンツを受信することを備える。この例では、１次コンテンツは歌を表し、一方、２次コンテンツはトークまたは広告を表す。さらに、この場合、放送ラジオ伝送を受信することはさらに、第１のデータグループおよびその第１のデータグループとは異なる第２のデータの少なくとも一方を備える補足情報を受信することを備え、第１のデータグループおよび第２のデータグループの一方は、１次コンテンツまたは２次コンテンツに対応するコンテンツ識別子を備え、また所定の機能を可能にすることはさらに、２次コンテンツに対応するコンテンツ識別子を検出することに基づき、あるいは１次コンテンツに対応するコンテンツ識別子が存在しないことを検出することに基づき、所定の機能を開始することを備える。
【００６１】
通常の番組の中断中にアクションが行われる同様の用途の場合、Ｍ／Ｓ（音楽／音声スイッチ）またはＧＴ（グループタイプ）コード、またはＶＦ（バージョンフラグ）によって、ラジオ番組中の機会が示され得る。
【００６２】
さらに、タグ２４およびデータ２６によって他のアプリケーションが呼び出される場合では、無線通信装置１２の所定の機能３８を可能にすることはさらに、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、無線装置の出力装置上の無線装置のメモリに記憶されたコンテンツをレンダリングすること、および無線装置の機能を変更することのうちの少なくとも１つを備える。
【００６３】
図８を参照すると、放送用のラジオ信号を生成する方法１００の一態様は、マルチメディアコンテンツを取得すること（ブロック１０２）、およびそのマルチメディアコンテンツに対応する補足情報を取得すること（ブロック１０４）を備える。
【００６４】
例えば、マルチメディアコンテンツ２０を取得することは、リアルタイムコンテンツおよび／または非リアルタイムコンテンツであり得る音楽、ビデオ、トークショー、ニュースレポートなどのコンテンツを取得することを含むことができる。
【００６５】
例えば、補足情報２２を取得することは、異なるデータをそれぞれが備える複数の所定のデータグループからの第１のデータグループを備える補足情報を取得することを含むことができ、第１のデータグループがさらに、第１のタグ２４および対応するテキストデータ２６の第１の組を備える。この場合、補足情報２２は、ＲＤＳグループメッセージフォーマットのＲＤＳデータを備えることができ、それは上記で詳細に論じている。
【００６６】
いくつかの態様では、方法は、ラジオデータシステムフォーマット、またはラジオ放送データシステムフォーマットの補足情報２２を取得することを含み、第１のデータグループは、ラジオテキストメッセージグループ、トランスペアレントデータチャネルメッセージグループ、構内アプリケーションメッセージグループ、および自由形式メッセージグループのうちの少なくとも１つを備える。
【００６７】
他の態様では、方法は、ラジオデータシステムフォーマット、またはラジオ放送データシステムフォーマットのメッセージ形式の第１のデータグループを取得することを含み、メッセージは、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、およびグループ１３Ａメッセージのうちの少なくとも１つを備える。
【００６８】
方法はさらに、マルチメディアコンテンツおよびそのマルチメディアコンテンツに対応する補足情報を備える放送ラジオ伝送を生成することを備える（ブロック１０６）。例えば、補足情報中の第１のタグ２４およびテキストデータ２６の第１の組を放送することは、無線装置１２により、放送ラジオ伝送１４を受信し、かつ第１のタグ２４およびテキストデータ２６の第１の組を検出したことに応じて、無線装置１２の所定の機能を可能にするように動作可能である。これらの諸態様は、無線装置１２に関して上記で詳細に論じられている。
【００６９】
いくつかの態様では、方法は、無線装置の使用量データを収集またはレポートを制御することを可能にするために、放送ラジオ伝送を生成することを含む。
【００７０】
他の態様では、方法は、複数の所定のデータグループからの第２のデータグループを有する補足情報を取得することを含み、その第２のデータグループはさらに、テキストデータの第１の組とは異なるテキストデータの第２の組を備え、また方法は、テキストデータの第２の組を、無線装置のメモリに記憶することを可能にする放送ラジオ伝送を生成することを含む。
【００７１】
他の態様では、方法は、ラジオ局に対応する無線周波数で、ラジオ信号として放送ラジオ伝送を生成することを含み、また方法は、無線装置により受信されたユーザ入力に応じて、選択されたアドレスに送信するための同調推奨メッセージを、無線装置上に常駐するメッセージングアプリケーションで自動的に構成することを可能にするための放送ラジオ伝送を生成することを含み、その同調推奨メッセージは、ラジオ局の無線周波数のインジケータを備える。
【００７２】
さらに他の態様では、方法は、一連の１次コンテンツおよび２次コンテンツでマルチメディアコンテンツを生成することを含み、補足情報を取得することはさらに、第１のデータグループおよび第１のデータグループとは異なる第２のデータグループの少なくとも一方を取得することを備え、第１のデータグループおよび第２のデータグループの一方は、１次コンテンツまたは２次コンテンツに対応するコンテンツ識別子を備え、また放送ラジオ伝送を生成することはさらに、無線装置が、２次コンテンツに対応するコンテンツ識別子を検出すること、または１次コンテンツに対応するコンテンツ識別子が存在しないことを検出することに基づいて、所定の機能を開始するように動作可能である。
【００７３】
さらに他の諸態様では、方法は、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、無線装置の出力装置上の無線装置のメモリに記憶されたコンテンツをレンダリングすること、および無線装置の機能を変更することのうちの少なくとも１つを、無線装置で可能にするようにさらに動作可能である放送ラジオ伝送を生成することを含むことができる。
【００７４】
したがって、本態様は、既存の規格を効率よく使用する放送ラジオシステムで使用するためのタグ付け言語を提供し、余分なメッセージおよび余分なストリーミングチャネルを必要とする代替形態と比較したとき、コンパクトなデータサイズを提供し、標準のグループメッセージの自由なテキスト部分に構成可能であり、また無線通信装置上にプログラムすることのできる構成可能な機能を含む。
【００７５】
本明細書に開示された諸実施形態と共に述べられた様々な例示的な論理、論理ブロック、モジュール、および回路は、汎用プロセッサ、ＤＳＰ（デジタル信号プロセッサ）、ＡＳＩＣ（特定用途向けＩＣ）、ＦＰＧＡ（書替え可能ゲートアレイ）もしくは他のプログラム可能な論理デバイス、ディスクリートのゲートもしくはトランジスタ論理、ディスクリートのハードウェアコンポーネント、または本明細書に述べられた機能を実施するように設計されたそれらの任意の組合せと共に実装または実施することができる。汎用プロセッサはマイクロプロセッサとすることができるが、代替形態では、プロセッサは、任意の従来のプロセッサ、コントローラ、マイクコンロトーラ、または状態マシンとすることができる。プロセッサはまた、コンピューティング装置の組合せ、例えば、ＤＳＰとマイクロプロセッサ、複数のマイクロプロセッサ、ＤＳＰコアと併せた１つまたは複数のマイクロプロセッサ、または任意のこのような構成の組合せとして実施することもできる。さらに、少なくとも１つのプロセッサは、上記で述べた諸ステップおよび／またはアクションの１つまたは複数のものを実施するように動作可能な１つまたは複数のモジュールを備えることができる。
【００７６】
さらに、本明細書で開示された諸態様と共に述べられた方法またはアルゴリズムの諸ステップおよび／またはアクションは、直接ハードウェアで、プロセッサにより実行されるソフトウェアモジュールで、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られた任意の他の形態の記憶媒体中に常駐することができる。例示的な記憶媒体は、プロセッサがその記憶媒体から情報を読み出し、かつそれに情報を書き込むことができるようにプロセッサに結合され得る。代替形態では、記憶媒体はプロセッサに一体化され得る。さらに、いくつかの態様では、プロセッサおよび記憶媒体はＡＳＩＣ中に常駐することができる。さらに、ＡＳＩＣは、ユーザ端末に常駐することができる。代替形態では、プロセッサおよび記憶媒体は、ユーザ端末中でディスクリートのコンポーネントとして常駐することができる。さらに、いくつかの態様では、方法もしくはアルゴリズムの諸ステップおよび／またはアクションは、マシン可読媒体および／またはコンピュータ可読媒体上のコードおよび／または命令の１つまたは任意の組合せ、あるいは組として常駐することができ、それは、コンピュータプログラム製品に組み込むことができる。
【００７７】
前述の開示は、例示の諸態様および／または諸実施形態を論じているが、添付の特許請求の範囲によって定義されるように、前述の諸態様および／または諸実施形態の範囲から逸脱することなく、様々な変更および修正を本明細書に加えることも可能であることに留意されたい。さらに、前述の諸態様および／または諸実施形態のエレメントが、単数形で述べられ、または特許請求されることもあり得るが、その単数形への限定が明示的に述べられない限り、複数形も企図される。さらに、任意の態様および／または実施形態のすべてまたは一部は、その他の形で述べられない限り、任意の他の態様および／または実施形態のすべてまたは一部と共に使用することができる。
なお、以下の記載は、出願当初の特許請求の範囲の記載に実質的に相当するものである。
［１］
無線装置でラジオ信号を処理する方法であって、
マルチメディアコンテンツおよび前記マルチメディアコンテンツに対応する補足情報を備える放送ラジオ伝送を受信することであり、前記補足情報が、異なるデータをそれぞれが備える複数の所定のデータグループからの第１のデータグループを備え、前記第１のデータグループがさらに、第１のタグ、および対応するテキストデータの第１の組を備えること、
前記第１のタグ、および前記テキストデータの第１の組を検出すること、および
前記検出された第１のタグ、および前記検出されたテキストデータの第１の組に基づき、前記無線装置の所定の機能を可能にすること
を備える方法。
［２］
前記放送ラジオ伝送を受信することがさらに、ラジオデータシステムフォーマット、またはラジオ放送データシステムフォーマットの前記補足情報を受信することを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備える、［１］に記載の方法。
［３］
前記第１のデータグループを備える前記補足情報を受信することがさらに、ラジオデータシステムフォーマット、またはラジオ放送データシステムフォーマットのメッセージを受信することを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、およびグループ１３Ａメッセージのうちの少なくとも１つを備える、［１］に記載の方法。
［４］
前記所定の機能を可能にすることがさらに、無線装置の使用データの収集またはレポートを制御することを備える、［１］に記載の方法。
［５］
無線装置の使用データの収集またはレポートを制御することがさらに、前記無線装置のメモリに記憶するために、少なくとも１つのデータタイプに関係する少なくとも１つのパラメータを定義することを備える、［４］に記載の方法。
［６］
無線装置の使用データの収集またはレポートを制御することがさらに、前記無線装置のメモリから取り出し、かつ所定のアドレスに送信するために、少なくとも１つのデータタイプまたは少なくとも１つのデータログに関係する少なくとも１つのパラメータを定義することを含む、［４］に記載の方法。
［７］
前記放送ラジオ伝送を受信することがさらに、前記複数の所定のデータグループからの第２のデータグループを有する前記補足情報を受信することを備え、前記第２のデータグループがさらに、前記テキストデータの第１の組とは異なるテキストデータの第２の組を備え、また前記所定の機能を可能にすることがさらに、前記テキストデータの第２の組を、前記無線装置のメモリに記憶することを備える、［１］に記載の方法。
［８］
前記放送ラジオ伝送を受信することがさらに、前記複数の所定のデータグループからの第２のデータグループを有する前記補足情報を受信することを備え、前記第２のデータグループが、前記テキストデータの第１の組とは異なるテキストデータの第２の組を備え、前記テキストデータの第２の組が、番組サービス名、番組識別コード、番組タイプコード、ラジオテキストメッセージ、およびクロック時間のうちの少なくとも１つを表しており、また前記所定の機能を可能にすることがさらに、前記番組サービス名、前記番組識別コード、前記番組タイプコード、前記ラジオテキストメッセージ、および前記クロック時間のうちの少なくとも１つを前記無線装置のメモリに記憶することを備える、［１］に記載の方法。
［９］
前記所定の機能を可能にすることがさらに、前記無線装置上で実行される、または実行するアプリケーションの使用量の収集またはレポートを制御することを備える、［１］に記載の方法。
［１０］
前記放送ラジオ伝送を受信することがさらに、ラジオ局に対応する無線周波数でラジオ信号を受信することを備え、また前記所定の機能を可能にすることがさらに、ユーザ入力に応じて、選択されたアドレスに送信するための同調推奨メッセージを、メッセージングアプリケーションで自動的に構成することを備えており、前記同調推奨メッセージが、前記ラジオ局の前記無線周波数のインジケータを備える、［１］に記載の方法。
［１１］
前記テキストデータの第１の組が、前記無線周波数の表現を備え、また自動的に構成することがさらに、前記テキストデータの第１の組からの前記無線周波数の前記表現を構文解析すること、および前記構文解析に基づいて前記無線周波数の前記インジケータを生成すること、および前記インジケータを前記同調推奨メッセージに追加することを備える、［１０］に記載の方法。
［１２］
前記放送信号を受信することがさらに、前記マルチメディアコンテンツに対応するコンテンツ名の表現およびアーティスト名の表現の少なくとも一方をさらに備える前記第１のデータグループと、前記複数の所定のデータグループからの第２のデータグループとの少なくとも一方を備える補足情報を受信することを備えており、前記第２のデータグループが、前記テキストデータの第１の組とは異なるテキストデータの第２の組を備え、前記テキストデータの第２の組が、前記コンテンツ名の前記表現および前記アーティスト名の前記表現の少なくとも一方を備え、また自動的に構成することがさらに、前記第１のデータグループおよび前記第２のデータグループの少なくとも一方からの前記テキストデータの第１の組から、前記コンテンツ名の前記表現および前記アーティスト名の前記表現の少なくとも一方を構文解析すること、および前記コンテンツ名の前記表現および前記アーティスト名の前記表現の少なくとも一方を前記同調推奨メッセージに追加することを備える、［１０］に記載の方法。
［１３］
前記放送ラジオ伝送を受信することがさらに、一連の１次コンテンツおよび２次コンテンツを有するマルチメディアコンテンツを受信することを備え、前記放送ラジオ伝送を受信することがさらに、前記第１のデータグループおよび前記第１のデータグループとは異なる第２のデータグループの少なくとも一方を備える前記補足情報を受信することを備えており、前記第１のデータグループおよび前記第２のデータグループの一方が、前記１次コンテンツまたは前記２次コンテンツに対応するコンテンツ識別子を備え、また前記所定の機能を可能にすることがさらに、前記２次コンテンツに対応する前記コンテンツ識別子を検出すること、または前記１次コンテンツに対応する前記コンテンツ識別子が存在しないことを検出することに基づいて、前記所定の機能を開始することを備える、［１］に記載の方法。
［１４］
前記所定の機能を開始することがさらに、前記無線装置の出力装置上の前記無線装置のメモリに記憶されたコンテンツをレンダリングすること、ウェブブラウジングアプリケーションを呼び出すこと、音声呼出アプリケーションを呼び出すこと、およびデータ呼出アプリケーションを呼び出すことのうちの少なくとも１つを備える、［１３］に記載の方法。
［１５］
前記放送ラジオ伝送を受信することがさらに、一連の１次コンテンツおよび２次コンテンツを有する前記マルチメディアコンテンツを受信することを備え、前記放送ラジオ伝送を受信することがさらに、前記第１のデータグループおよび前記第１のデータグループとは異なる第２のデータグループの少なくとも一方を備える前記補足情報を受信することを備えており、前記第１のデータグループおよび前記第２のデータグループの一方が、前記１次コンテンツまたは前記２次コンテンツに対応する音楽／音声スイッチコードまたはグループタイプコードまたはバージョンフラグのうちの少なくとも１つを備え、また前記所定の機能を可能にすることがさらに、前記２次コンテンツに対応する音楽／音声スイッチコードまたはグループタイプコードまたはバージョンフラグのうちの前記少なくとも１つを検出すること、または前記１次コンテンツに対応する音楽／音声スイッチコードまたはグループタイプコードまたはバージョンフラグのうちの前記少なくとも１つが存在しないことを検出することに基づき、前記所定の機能を開始することを備える、［１］に記載の方法。
［１６］
前記無線装置の前記所定の機能を可能にすることがさらに、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを備える、［１］に記載の方法。
［１７］
前記テキストデータの第１の組を、前記第１のフラグに対応する所定のフォーマットで、前記無線装置のディスプレイ上に表示することをさらに備える、［１］に記載の方法。
［１８］
所定のコンテンツを、前記無線通信装置のディスプレイ上に表示することをさらに備え、前記所定のコンテンツが、前記第１のタグ、および前記テキストデータの第１の組に対応する、［１］に記載の方法。
［１９］
無線装置でラジオ信号を処理するように構成された少なくとも１つのプロセッサであって、
マルチメディアコンテンツおよび前記マルチメディアコンテンツに対応する補足情報を備える放送ラジオ伝送を受信するための第１のモジュールであり、前記補足情報が、異なるデータをそれぞれが備える複数の所定のデータグループからの第１のデータグループを備え、前記第１のデータグループがさらに、第１のタグ、および対応するテキストデータの第１の組を備える、第１のモジュールと、
前記第１のタグ、および前記テキストデータの第１の組を検出するための第２のモジュールと、
前記検出された第１のタグ、および前記検出されたテキストデータの第１の組に基づき、前記無線装置の所定の機能を可能にするための第３のモジュールと
を備える少なくとも１つのプロセッサ。
［２０］
コンピュータプログラム製品であって、
コンピュータに、マルチメディアコンテンツおよび前記マルチメディアコンテンツに対応する補足情報を備える放送ラジオ伝送を受信させるためのコードの第１の組であり、前記補足情報が、異なるデータをそれぞれが備える複数の所定のデータグループからの第１のデータグループを備え、前記第１のデータグループがさらに、第１のタグ、および対応するテキストデータの第１の組を備える、コードの第１の組と、
コンピュータに、前記第１のタグ、および前記テキストデータの第１の組を検出させるためのコードの第２の組と、
コンピュータに、前記検出された第１のタグ、および前記検出されたテキストデータの第１の組に基づき、前記無線装置の所定の機能を可能にさせるためのコードの第３の組と
を備えるコンピュータ可読媒体を備えるコンピュータプログラム製品。
［２１］
マルチメディアコンテンツおよび前記マルチメディアコンテンツに対応する補足情報を備える放送ラジオ伝送を受信するための手段であり、前記補足情報が、異なるデータをそれぞれが備える複数の所定のデータグループからの第１のデータグループを備え、前記第１のデータグループがさらに、第１のタグ、および対応するテキストデータの第１の組を備える手段と、
前記第１のタグ、および前記テキストデータの第１の組を検出するための手段と、
前記検出された第１のタグ、および前記検出されたテキストデータの第１の組に基づき、前記無線装置の所定の機能を可能にするための手段と
を備える装置。
［２２］
ラジオエンハンサモジュールを備えるメモリと、
前記メモリと通信し、かつ前記ラジオエンハンサモジュールを実行するように動作可能なプロセッサと、
前記プロセッサと通信し、マルチメディアコンテンツおよび前記マルチメディアコンテンツに対応する補足情報を備える放送ラジオ伝送を受信するように動作可能な受信装置であり、前記補足情報が、異なるデータをそれぞれが備える複数の所定のデータグループからの第１のデータグループを備え、前記第１のデータグループがさらに、第１のタグ、および対応するテキストデータの第１の組を備える、受信装置と、
前記受信装置と関連付けられ、前記第１のタグ、および前記テキストデータの第１の組を検出するように動作可能な回路を備える受信装置モジュールとを備え、
前記プロセッサが、前記ラジオエンハンサモジュールを実行して前記受信装置モジュールをモニタし、前記ラジオエンハンサモジュールが、前記第１のタグ、および前記テキストデータの第１の組に基づき、前記無線装置の所定の機能を可能にするように、前記第１のタグ、および前記テキストデータの第１の組の検出に応じて動作可能である、無線装置。
［２３］
前記補足情報が、ラジオデータシステムフォーマットまたはラジオ放送データシステムフォーマットを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備える、［２２］に記載の無線装置。
［２４］
前記第１のデータグループがさらに、ラジオデータシステムフォーマット、またはラジオ放送データシステムフォーマットのメッセージを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、およびグループ１３Ａメッセージのうちの少なくとも１つを備える、［２２］に記載の無線装置。
［２５］
前記ラジオエンハンサモジュールがさらに、無線装置の使用データの収集またはレポートを制御するように動作可能である、［２２］に記載の無線装置。
［２６］
前記テキストデータの第１の組がさらに、前記メモリに記憶するために、少なくとも１つのデータタイプに関係する少なくとも１つのパラメータを備える、［２５］に記載の無線装置。
［２７］
前記テキストデータの第１の組がさらに、前記無線装置の前記メモリから取り出すために、また所定のアドレスに送信するために、少なくとも１つのデータタイプまたは少なくとも１つのデータログに関係する少なくとも１つのパラメータを備える、［２５］に記載の無線装置。
［２８］
前記補足情報がさらに、前記複数の所定のデータグループからの第２のデータグループを備え、前記第２のデータグループがさらに、前記テキストデータの第１の組とは異なるテキストデータの第２の組を備え、また前記ラジオエンハンサモジュールがさらに、前記メモリに、前記テキストデータの第２の組を記憶することを開始するように動作可能である、［２２］に記載の無線装置。
［２９］
前記補足情報がさらに、前記複数の所定のデータグループからの第２のデータグループを備え、前記第２のデータグループが、前記テキストデータの第１の組とは異なるテキストデータの第２の組を備え、前記テキストデータの第２の組が、番組サービス名、番組識別コード、番組タイプコード、ラジオテキストメッセージ、およびクロック時間のうちの少なくとも１つを表しており、また前記ラジオエンハンサモジュールがさらに、前記番組サービス名、前記番組識別コード、前記番組タイプコード、前記ラジオテキストメッセージ、および前記クロック時間のうちの少なくとも１つを前記メモリに記憶することを開始するように動作可能である、［２２］に記載の無線装置。
［３０］
前記メモリがさらに、他の無線装置アプリケーションを備え、また前記ラジオエンハンサモジュールがさらに、前記無線装置による前記他のアプリケーションの使用量を収集またはレポートすることを開始するように動作可能である、［２２］に記載の無線装置。
［３１］
前記メモリがさらに、メッセージングアプリケーションを備え、前記放送ラジオ伝送がさらに、ラジオ局に対応する無線周波数でラジオ信号を備え、また前記ラジオエンハンサモジュールがさらに、ユーザ入力に応じて、選択されたアドレスに送信するための同調推奨メッセージを自動的に構成するために、前記メッセージングアプリケーションを開始するように動作可能であり、前記同調推奨メッセージが、前記ラジオ局の前記無線周波数のインジケータを備える、［２２］に記載の無線装置。
［３２］
前記テキストデータの第１の組が前記無線周波数の表現を備え、また前記ラジオエンハンサモジュールがさらに、前記テキストデータの第１の組からの前記無線周波数の前記表現の構文解析を開始し、前記無線周波数の前記インジケータを生成し、かつ前記インジケータを前記同調推奨メッセージに追加するように動作可能である、［３１］に記載の無線装置。
［３３］
前記補足情報がさらに、前記マルチメディアコンテンツに対応するコンテンツ名の表現およびアーティスト名の表現の少なくとも一方を有する前記第１のデータグループと、前記複数の所定のデータグループからの第２のデータグループとの少なくとも一方を備えており、前記第２のデータグループが、前記テキストデータの第１の組とは異なるテキストデータの第２の組を備え、前記テキストデータの第２の組が、前記コンテンツ名の前記表現および前記アーティスト名の前記表現の少なくとも一方を備え、前記ラジオエンハンサモジュールがさらに、前記第１のデータグループおよび前記第２のデータグループの少なくとも一方からの前記テキストデータの第１の組からの前記コンテンツ名の前記表現および前記アーティスト名の前記表現の少なくとも一方を構文解析すること、および前記コンテンツ名の前記表現および前記アーティスト名の前記表現の少なくとも一方を前記同調推奨メッセージに追加することを開始するように動作可能である、［３１］に記載の無線装置。
［３４］
前記マルチメディアコンテンツがさらに、一連の１次コンテンツおよび２次コンテンツを備え、前記補足情報がさらに、前記第１のデータグループおよび前記第１のデータグループとは異なる第２のデータグループの少なくとも一方を備えており、前記第１のデータグループおよび前記第２のデータグループの一方が、前記１次コンテンツまたは前記２次コンテンツに対応するコンテンツ識別子を備え、また前記ラジオエンハンサモジュールがさらに、前記２次コンテンツに対応する前記コンテンツ識別子を検出すること、または前記１次コンテンツに対応する前記コンテンツ識別子が存在しないことを検出することに基づいて、前記所定の機能を開始するように動作可能である、［２２］に記載の無線装置。
［３５］
出力装置をさらに備えており、前記メモリがさらに、所定のコンテンツ、ウェブブラウジングアプリケーション、音声呼出アプリケーション、およびデータ呼出アプリケーションを備え、前記ラジオエンハンサモジュールがさらに、前記出力装置上で前記所定のコンテンツをレンダリングすること、前記ウェブブラウジングアプリケーションを呼び出すこと、前記音声呼出アプリケーションを呼び出すこと、および前記データ呼出アプリケーションを呼び出すことのうちの少なくとも１つを開始するように動作可能である、［３４］に記載の無線装置。
［３６］
前記マルチメディアコンテンツを受信することがさらに、一連の１次コンテンツおよび２次コンテンツを備え、前記補足情報がさらに、前記第１のデータグループおよび前記第１のデータグループとは異なる第２のデータグループの少なくとも一方を備えており、前記第１のデータグループおよび前記第２のデータグループの一方が、前記１次コンテンツまたは前記２次コンテンツに対応する音楽／音声スイッチコードまたはグループタイプコードまたはバージョンフラグのうちの少なくとも１つを備え、また前記ラジオエンハンサモジュールがさらに、前記２次コンテンツに対応する音楽／音声スイッチコードまたはグループタイプコードまたはバージョンフラグのうちの前記少なくとも１つを検出すること、または前記１次コンテンツに対応する音楽／音声スイッチコードまたはグループタイプコードまたはバージョンフラグのうちの前記少なくとも１つが存在しないことを検出することに基づいて、前記所定の機能を開始するように動作可能である、［２２］に記載の無線装置。
［３７］
出力装置をさらに備えており、前記メモリがさらに、コンテンツダウンロードアプリケーション、データ呼出アプリケーション、音声呼出アプリケーション、ウェブブラウジングアプリケーション、所定のコンテンツ、ウェブブラウジングアプリケーション、音声呼出アプリケーション、およびデータ呼出アプリケーションを備え、前記ラジオエンハンサモジュールがさらに、前記コンテンツダウンロードアプリケーションを呼び出すこと、前記データ呼出アプリケーションを呼び出すこと、前記音声呼出アプリケーションを呼び出すこと、前記ウェブブラウジングアプリケーションを呼び出すこと、照会への応答の少なくとも一部を自動的に構成すること、前記出力装置上で前記所定のコンテンツをレンダリングすること、および前記無線装置の機能を変更することのうちの少なくとも１つを開始するように動作可能である、［２２］に記載の無線装置。
［３８］
ディスプレイをさらに備えており、前記ラジオエンハンサモジュールがさらに、前記第１のフラグに対応する所定のフォーマットを備え、前記ラジオエンハンサモジュールがさらに、前記テキストデータの第１の組を、前記ディスプレイ上に前記所定のフォーマットで表示することを開始するように動作可能である、［２２］に記載の無線装置。
［３９］
ディスプレイをさらに備えており、前記ラジオエンハンサモジュールがさらに、前記第１のタグ、および前記テキストデータの第１の組に対応する所定のフォーマットを備え、前記ラジオエンハンサモジュールがさらに、前記第１のタグ、および前記テキストデータの第１の組に基づき、所定のコンテンツを前記ディスプレイ上に表示することを開始するように動作可能である、［２２］に記載の無線装置。
［４０］
放送のためにラジオ信号を生成する方法であって、
マルチメディアコンテンツを取得すること、
前記マルチメディアコンテンツに対応する補足情報を取得することであり、前記補足情報が、異なるデータをそれぞれが備える複数の所定のデータグループからの第１のデータグループを備え、前記第１のデータグループがさらに、第１のタグ、および対応するテキストデータの第１の組を備えること、および
前記マルチメディアコンテンツおよび前記マルチメディアコンテンツに対応する前記補足情報を備える放送ラジオ伝送を生成することであり、前記第１のタグ、および前記テキストデータの第１の組が、無線装置により、前記放送ラジオ伝送を受信し、かつ前記第１のタグ、および前記テキストデータの第１の組を検出したことに応じて、前記無線装置の所定の機能を可能にするように動作可能であること
を備える方法。
［４１］
前記補足情報を取得することがさらに、ラジオデータシステムフォーマット、またはラジオ放送データシステムフォーマットの前記補足情報を取得することを備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備える、［４０］に記載の方法。
［４２］
前記第１のデータグループを備える前記補足情報を取得することがさらに、ラジオデータシステムフォーマット、またはラジオ放送データシステムフォーマットのメッセージを取得することを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、グループ１３Ａメッセージのうちの少なくとも１つを備える、［４０］に記載の方法。
［４３］
前記放送ラジオ伝送を生成することがさらに、無線装置の使用データの収集またはレポートを制御することを備える、［４０］に記載の方法。
［４４］
前記放送ラジオ伝送を生成することがさらに、前記複数の所定のデータグループからの第２のデータグループを有する前記補足情報を取得することを備え、前記第２のデータグループがさらに、前記テキストデータの第１の組とは異なるテキストデータの第２の組を備え、また前記放送ラジオ伝送を生成することがさらに、前記テキストデータの第２の組を前記無線装置のメモリに記憶することができるように動作可能である、［４０］に記載の方法。
［４５］
前記放送ラジオ伝送を生成することがさらに、ラジオ局に対応する無線周波数でラジオ信号を生成することを備え、また前記放送ラジオ伝送を生成することがさらに、前記無線装置により受信されたユーザ入力に応じて、選択されたアドレスに送信するための同調推奨メッセージを、前記無線装置上に常駐するメッセージングアプリケーションで自動的に構成することを可能にするように動作可能であり、前記同調推奨メッセージが、前記ラジオ局の前記無線周波数のインジケータを備える、［４０］に記載の方法。
［４６］
前記放送ラジオ伝送を生成することがさらに、一連の１次コンテンツおよび２次コンテンツで前記マルチメディアコンテンツを生成することを備え、前記補足情報を取得することがさらに、前記第１のデータグループおよび前記第１のデータグループとは異なる第２のデータグループの少なくとも一方を取得することを備え、前記第１のデータグループおよび前記第２のデータグループの一方が、前記１次コンテンツまたは前記２次コンテンツに対応するコンテンツ識別子を備え、また前記放送ラジオ伝送を生成することがさらに、前記無線装置が前記２次コンテンツに対応する前記コンテンツ識別子を検出すること、または前記１次コンテンツに対応する前記コンテンツ識別子が存在しないことを検出することに基づいて、前記所定の機能を開始するように動作可能である、［４０］に記載の方法。
［４７］
前記放送ラジオ伝送を生成することがさらに、前記無線装置で、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを可能にするように動作可能である、［４０］に記載の方法。
［４８］
無線装置でラジオ信号を処理するように構成された少なくとも１つのプロセッサであって、
マルチメディアコンテンツを取得するための第１のモジュールと、
前記マルチメディアコンテンツに対応する補足情報を取得するための第２のモジュールであり、前記補足情報が、異なるデータをそれぞれが備える複数の所定のデータグループからの第１のデータグループを備えており、前記第１のデータグループがさらに、第１のタグ、および対応するテキストデータの第１の組を備える、第２のモジュールと、
前記マルチメディアコンテンツおよび前記マルチメディアコンテンツに対応する前記補足情報を備える放送ラジオ伝送を生成するための第３のモジュールであり、前記第１のタグ、および前記テキストデータの第１の組が、無線装置により前記第１のタグ、および前記テキストデータの第１の組を検出したことに応じて、前記無線装置の所定の機能を可能にするように動作可能である、第３のモジュールと
を備える少なくとも１つのプロセッサ。
［４９］
コンピュータプログラム製品であって、
コンピュータに、マルチメディアコンテンツを取得させるためのコードの第１の組と、
コンピュータに、前記マルチメディアコンテンツに対応する補足情報を取得させるためのコードの第２の組であり、前記補足情報が、異なるデータをそれぞれが備える複数の所定のデータグループからの第１のデータグループを備えており、前記第１のデータグループがさらに、第１のタグ、および対応するテキストデータの第１の組を備える、コードの第２の組と、
コンピュータに、前記マルチメディアコンテンツおよび前記マルチメディアコンテンツに対応する前記補足情報を備える放送ラジオ伝送を生成させるためのコードの第３の組であり、前記第１のタグ、および前記テキストデータの第１の組が、無線装置により、前記放送ラジオ伝送を受信し、かつ前記第１のタグ、および前記テキストデータの第１の組を検出したことに応じて、前記無線装置の所定の機能を可能にするように動作可能である、コードの第３の組と
を備えるコンピュータ可読媒体を備えるコンピュータプログラム製品。
［５０］
マルチメディアコンテンツを取得するための手段と、
前記マルチメディアコンテンツに対応する補足情報を取得するための手段であり、前記補足情報が、異なるデータをそれぞれが備える複数の所定のデータグループからの第１のデータグループを備えており、前記第１のデータグループがさらに、第１のタグ、および対応するテキストデータの第１の組を備える手段と、
前記マルチメディアコンテンツおよび前記マルチメディアコンテンツに対応する前記補足情報を備える放送ラジオ伝送を生成するための手段であり、前記第１のタグ、および前記テキストデータの第１の組が、無線装置により、前記放送ラジオ伝送を受信し、かつ前記第１のタグ、および前記テキストデータの第１の組を検出したことに応じて、前記無線装置の所定の機能を可能にするように動作可能である手段と
を備える装置。
［５１］
マルチメディアコンテンツおよび前記マルチメディアコンテンツに対応する補足情報を備えるメモリであり、前記補足情報が、異なるデータをそれぞれが備える複数の所定のデータグループからの第１のデータグループを備えており、前記第１のデータグループがさらに、第１のタグ、および対応するテキストデータの第１の組を備える、メモリと、
前記メモリと通信するプロセッサと、
前記プロセッサと通信し、前記マルチメディアコンテンツおよび前記補足情報を備える放送ラジオ伝送を生成するように動作可能な放送ジェネレータであり、前記第１のタグ、および前記テキストデータの第１の組が、無線装置により、前記放送ラジオ伝送を受信し、かつ前記第１のタグ、および前記テキストデータの第１の組を検出したことに応じて、前記無線装置の所定の機能を可能にするように動作可能である放送ジェネレータと
を備えるラジオ放送装置。
［５２］
前記補足情報がさらに、ラジオデータシステムフォーマット、またはラジオ放送データシステムフォーマットの情報を備え、前記第１のデータグループが、ラジオテキストメッセージグループ、トランスペアレントデータチャネルメッセージグループ、構内アプリケーションメッセージグループ、および自由形式メッセージグループのうちの少なくとも１つを備える、［５１］に記載のラジオ放送装置。
［５３］
前記第１のデータグループがさらに、ラジオデータシステムフォーマット、またはラジオ放送データシステムフォーマットのメッセージを備え、メッセージが、グループ２Ａメッセージ、グループ２Ｂメッセージ、グループ３Ａメッセージ、グループ５Ａメッセージ、グループ５Ｂメッセージ、グループ６Ａメッセージ、グループ６Ｂメッセージ、グループ１０Ａメッセージ、グループ１１Ａメッセージ、グループ１２Ａメッセージ、グループ１３Ａメッセージのうちの少なくとも１つを備える、［５１］に記載のラジオ放送装置。
［５４］
前記放送ジェネレータがさらに、前記放送ラジオ伝送の生成を介して、前記無線装置における無線装置の使用データの収集またはレポートを制御することを可能にするように動作可能である、［５１］に記載のラジオ放送装置。
［５５］
前記補足情報がさらに、前記複数の所定のデータグループからの第２のデータグループを備え、前記第２のデータグループがさらに、前記テキストデータの第１の組とは異なるテキストデータの第２の組を備え、また前記放送ジェネレータがさらに、前記放送ラジオ伝送の生成を介して、前記テキストデータの第２の組を前記無線装置のメモリに記憶することを可能にするように動作可能である、［５１］に記載のラジオ放送装置。
［５６］
放送ラジオ伝送が、ラジオ局に対応する無線周波数でラジオ信号を備え、また前記放送ジェネレータがさらに、前記放送ラジオ伝送の生成を介して、前記無線装置により受信されたユーザ入力に応じて、選択されたアドレスに送信するための同調推奨メッセージを、前記無線装置が前記無線装置上に常駐するメッセージングアプリケーションで自動的に構成することを可能にするように動作可能であり、前記同調推奨メッセージが、前記ラジオ局の前記無線周波数のインジケータを備える、［５１］に記載のラジオ放送装置。
［５７］
前記マルチメディアコンテンツがさらに、一連の１次コンテンツおよび２次コンテンツを備えており、前記補足情報がさらに、前記第１のデータグループおよび前記第１のデータグループとは異なる第２のデータグループの少なくとも一方を備え、前記第１のデータグループおよび前記第２のデータグループの一方が、前記１次コンテンツまたは前記２次コンテンツに対応するコンテンツ識別子を備え、また前記放送ジェネレータがさらに、前記放送ラジオ伝送の生成を介して、前記無線装置が、前記２次コンテンツに対応する前記コンテンツ識別子を検出すること、または前記１次コンテンツに対応する前記コンテンツ識別子が存在しないことを検出することに基づいて、前記所定の機能を開始するように動作可能である、［５１］に記載のラジオ放送装置。
［５８］
前記放送ジェネレータがさらに、前記放送ラジオ伝送の生成を介して、コンテンツダウンロードアプリケーションを呼び出すこと、データ呼出アプリケーションを呼び出すこと、音声呼出アプリケーションを呼び出すこと、ウェブブラウジングアプリケーションを呼び出すこと、照会への応答の少なくとも一部を自動的に構成すること、前記無線装置の出力装置上の前記無線装置のメモリに記憶されたコンテンツをレンダリングすること、および前記無線装置の機能を変更することのうちの少なくとも１つを前記無線装置で可能にするように動作可能である、［５１］に記載のラジオ放送装置。
【図面の簡単な説明】
【００７８】
【図１】タグ付け言語を含む放送ラジオ伝送を生成し、かつ受信するためのシステムの概略を示す図。
【図２】図１の無線通信装置の一態様の概略を示す図。
【図３】図１のシステムで使用するためのタグ付け言語および／または補足情報を運ぶグループメッセージの一態様を示す図。
【図４】図１のシステムで使用するためのタグ付け言語および／または補足情報を運ぶグループメッセージの一態様を示す図。
【図５】図１のシステムで使用するためのタグ付け言語および／または補足情報を運ぶグループメッセージの一態様を示す図。
【図６】図１のラジオ放送装置の一態様の概略を示す図。
【図７】図１のシステムによるラジオ信号を処理する方法の一態様の流れを示す図。
【図８】図１のシステムによるラジオ信号を生成する方法の一態様の流れを示す図。
【図１】
0005394229.tif 000002
【図２】
0005394229.tif 000003
【図３】
0005394229.tif 000004
【図４】
0005394229.tif 000005
【図５】
0005394229.tif 000006
【図６】
0005394229.tif 000007
【図７】
0005394229.tif 000008
【図８】
0005394229.tif 000009